(57)【特許請求の範囲】
【請求項１】
第１のスイッチ、第２のスイッチ、第１の充電ポート、第１の充電回路、第１のコネクタ、第１のバッテリー、及び第１の電子コントローラを含むモバイル端末であって、
前記第１のスイッチの第１の端子は、前記第１の充電ポートに接続され、前記第１のスイッチの第２の端子は、前記第１の充電回路の第１の端部に接続され、
前記第２のスイッチの第１の端子は、前記第１の充電回路の前記第１の端部に接続され、前記第２のスイッチの第２の端子は、前記第１のコネクタに接続され、
前記第１の充電回路の第２の端部は、前記第１のバッテリーに接続され、且つ、前記第１のバッテリーの充電プロセスを制御するように構成され、
前記第１のコネクタは、周辺デバイスに接続されるように構成され、
前記第１の電子コントローラは、前記第１のスイッチの制御端子及び前記第２のスイッチの制御端子に接続され、且つ前記周辺デバイスと通信し、
前記第１の電子コントローラは、前記第１のバッテリーのバッテリーレベル及び前記周辺デバイスの第２のバッテリーのバッテリーレベルに基づいて充電モードを決定し、前記充電モードに基づいて前記第１のスイッチ及び前記第２のスイッチの状態を制御し、前記周辺デバイスに前記充電モードを通知するための制御情報を前記周辺デバイスに送信するように構成され、前記充電モードは、前記第１のバッテリーが前記第２のバッテリーを充電するもの、又は前記第２のバッテリーが前記第１のバッテリーを充電するものを含み、
前記モバイル端末は、第１の不感帯域制御回路及び第１の低ドロップアウト線形電圧調整器をさらに含み、
前記第１の不感帯域制御回路の第１の入力端部は、前記第１の充電ポートに接続され、前記第１の不感帯域制御回路の出力端部は、前記第１の電子コントローラに接続され、前記第１の低ドロップアウト線形電圧調整器の入力端部は、前記第１の充電回路の第３の端部に接続され、前記第１の低ドロップアウト線形電圧調整器の出力端部は、前記第１の不感帯域制御回路の第２の入力端部に接続され、
前記第１のバッテリーの前記バッテリーレベルが第１の閾値以下であり、且つ前記第１の充電ポートが充電器に接続されているとき、前記第１の充電ポートに接続された前記充電器は、前記第１の不感帯域制御回路を用いることによって前記第１の電子コントローラに電力を供給し、
前記第１のバッテリーの前記バッテリーレベルが前記第１の閾値を超過しているとき、前記第１のバッテリーは、前記第１の充電回路を利用することによって前記第１の低ドロップアウト線形電圧調整器に電力を供給し、前記第１の低ドロップアウト線形電圧調整器は、前記第１の不感帯域制御回路を用いることによって前記第１の電子コントローラに電力を供給する、
モバイル端末。
【請求項２】
前記第１の不感帯域制御回路は、バックコンバータ（ＢＵＣＫ）回路、第１の抵抗器、第２の抵抗器、第３の抵抗器、第４の抵抗器、第５の抵抗器、第６の抵抗器、第７の抵抗器、第１のトランジスタ、第２のトランジスタ、第１のＭＯＳトランジスタ、及び第２のＭＯＳトランジスタを含み、
前記ＢＵＣＫ回路の入力端部は、前記第１の不感帯域制御回路の前記第１の入力端部に接続され、前記第１の抵抗器の第１の端子は、前記第１の不感帯域制御回路の前記第１の入力端部に接続され、前記第１の抵抗器の第２の端子は、前記ＢＵＣＫ回路のイネーブル（ＥＮ）端部に接続され、前記第１の抵抗器の前記第２の端子は、前記第２の抵抗器を用いることによって接地端子にさらに接続され、
前記ＢＵＣＫ回路の前記ＥＮ端部は、前記第１のトランジスタのコレクタにさらに接続され、前記第１のトランジスタのエミッタは、前記接地端子に接続され、前記第１のトランジスタのベースは、前記第３の抵抗器の第１の端子に接続され、前記第３の抵抗器の第２の端子は、前記第１の不感帯域制御回路の前記第２の入力端部に接続され、前記第３の抵抗器の前記第２の端子は、前記第４の抵抗器の第１の端子にさらに接続され、
前記ＢＵＣＫ回路の出力端部は、前記第１のＭＯＳトランジスタのドレインに接続され、前記第１のＭＯＳトランジスタのソースは、前記第２のＭＯＳトランジスタのソースに接続され、前記第１のＭＯＳトランジスタのゲートは、前記第５の抵抗器を用いることによって前記接地端子に接続され、前記第４の抵抗器の第２の端子は、前記第１のＭＯＳトランジスタの前記ゲートに接続され、
前記第２のＭＯＳトランジスタの前記ソースは、前記第６の抵抗器を用いることによって前記第２のＭＯＳトランジスタのゲートに接続され、前記第２のＭＯＳトランジスタの前記ソースは、前記第１の不感帯域制御回路の前記出力端部に接続され、前記第２のＭＯＳトランジスタの前記ゲートは、前記第２のトランジスタのコレクタにさらに接続され、前記第２のＭＯＳトランジスタのドレインは、前記第１の不感帯域制御回路の前記第２の入力端部に接続され、前記第２のトランジスタのベースは、前記第７の抵抗器を用いることによって前記第１の不感帯域制御回路の前記第２の入力端部に接続される、
請求項１に記載のモバイル端末。
【請求項３】
第１のショットキーダイオード及び第２のショットキーダイオードをさらに含み、
前記第１のショットキーダイオードのアノードは、前記第１の充電ポートに接続され、前記第１のショットキーダイオードのカソードは、前記第２のショットキーダイオードのカソードに接続され、前記第２のショットキーダイオードのアノードは、前記第２のスイッチの前記第２の端子に接続され、
前記第１のショットキーダイオードの前記カソードは、前記第１の不感帯域制御回路の前記第１の入力端部にさらに接続される、
請求項１又は２に記載のモバイル端末。
【請求項４】
前記モバイル端末は、充電器検出回路をさらに含み、前記充電器検出回路は、前記第１の充電ポート及び前記第１の電子コントローラに接続され、
前記充電器検出回路は、前記第１の充電ポートのサンプリング電圧を取得するように構成され、前記第１の電子コントローラは、前記サンプリング電圧に基づいて、前記第１の充電ポートが充電器に接続されているかどうかを決定するように構成され、
前記第１の充電ポートが充電器に接続されている、及び／又は、前記周辺デバイスの第２の充電ポートが充電器に接続されている、と前記第１の電子コントローラが決定したとき、前記第１の電子コントローラは、前記充電モードを再決定するようにさらに構成され、前記充電モードは、前記第１の充電ポートに接続された前記充電器が前記第１のバッテリー及び前記第２のバッテリーを充電するもの、前記第２の充電ポートに接続された前記充電器が前記第１のバッテリー及び前記第２のバッテリーを充電するもの、又は、前記第１の充電ポートに接続された前記充電器が前記第１のバッテリーを充電し且つ前記第２の充電ポートに接続された前記充電器が前記第２のバッテリーを充電するもの、をさらに含む、
請求項１〜３のいずれか１項に記載のモバイル端末。
【請求項５】
前記充電器検出回路は、第８の抵抗器及び第９の抵抗器を含み、
前記第８の抵抗器の第１の端子は、前記第１の充電ポートに接続され、前記第８の抵抗器の第２の端子は、前記第９の抵抗器の第１の端子に接続され、前記第９の抵抗器の第２の端子は、接地端子に接続され、前記第９の抵抗器の前記第１の端子は、前記第１の電子コントローラに接続され、
前記第１の電子コントローラは、前記第９の抵抗器の前記第１の端子のサンプリング電圧を取得し、前記サンプリング電圧に基づいて、前記第１の充電ポートが充電器に接続されているかどうかを決定するように構成される、
請求項４に記載のモバイル端末。
【請求項６】
前記モバイル端末は、ピアデバイス検出回路をさらに含み、前記ピアデバイス検出回路は、前記第１の電子コントローラ及び第２のコネクタに接続され、前記第２のコネクタは、ピアデバイスの接地端子に接続されるように構成され、
前記第２のコネクタが前記ピアデバイスの前記接地端子に接続されているとき、前記第１の電子コントローラは、前記第２のコネクタの電圧レベルに基づいて、前記ピアデバイスが接続されていると決定する、
請求項１〜５のいずれか１項に記載のモバイル端末。
【請求項７】
前記ピアデバイス検出回路は、第１０の抵抗器及び第１１の抵抗器を含み、
前記第１０の抵抗器の第１の端子は、所定の電圧値を有する電源に接続され、前記第１０の抵抗器の第２の端子は、前記第１１の抵抗器の第１の端子に接続され、前記第１１の抵抗器の第２の端子は、接地端子に接続され、前記第１０の抵抗器の前記第２の端子は、前記第１の電子コントローラ及び前記第２のコネクタにさらに接続される、
請求項６に記載のモバイル端末。
【請求項８】
前記第１の充電ポートは、ＵＳＢポートであり、前記第１の充電ポートは、識別（ＩＤ）ピンを含み、前記ＩＤピンは、前記第１の電子コントローラに接続され、ＯＴＧ送信コネクタが前記第１の充電ポートに差し込まれているとき、前記第１の電子コントローラは、前記ＩＤピンの電圧レベルに基づいて、前記ＯＴＧ送信コネクタが前記第１の充電ポートに差し込まれているかどうかを決定するように構成される、
請求項１〜７のいずれか１項に記載のモバイル端末。
【請求項９】
前記第１のスイッチ及び／又は前記第２のスイッチは、第３のＭＯＳトランジスタ、第４のＭＯＳトランジスタ、第１２の抵抗器、第１３の抵抗器、及び第３のトランジスタを含み、
前記第３のＭＯＳトランジスタのソースは、前記第４のＭＯＳトランジスタのソースに接続され、前記第３のＭＯＳトランジスタの前記ソースは、前記第１２の抵抗器の第１の端子にさらに接続され、前記第１２の抵抗器の第２の端子は、前記第３のＭＯＳトランジスタのゲート、前記第４のＭＯＳトランジスタのゲート、及び前記第１３の抵抗器の第１の端子に接続され、前記第１３の抵抗器の第２の端子は、前記第３のトランジスタのコレクタに接続され、前記第３のトランジスタのエミッタは、接地端子に接続され、
前記第３のＭＯＳトランジスタ、前記第４のＭＯＳトランジスタ、前記第１２の抵抗器、前記第１３の抵抗器、及び前記第３のトランジスタは、前記第１のスイッチを構成するとき、前記第３のＭＯＳトランジスタのドレインは、前記第１のスイッチの前記第１の端子に接続され、前記第４のＭＯＳトランジスタのドレインは、前記第１のスイッチの前記第２の端子に接続され、前記第３のトランジスタのベースは、前記第１のスイッチの前記制御端子に接続され、
前記第３のＭＯＳトランジスタ、前記第４のＭＯＳトランジスタ、前記第１２の抵抗器、前記第１３の抵抗器、及び前記第３のトランジスタが前記第２のスイッチを構成するとき、前記第３のＭＯＳトランジスタのドレインは、前記第２のスイッチを構成の前記第１の端子に接続され、前記第４のＭＯＳトランジスタのドレインは、前記第２のスイッチの前記第２の端子に接続され、前記第３のトランジスタのベースは、前記第２のスイッチの前記制御端子に接続される、
請求項１〜８のいずれか１項に記載のモバイル端末。
【請求項１０】
電流制限回路をさらに含み、
前記第１の充電回路の電流制限ピンは、前記電流制限回路の入力端部に接続され、前記電流制限回路の制御端部は、前記第１の電子コントローラに接続され、
前記第１の電子コントローラは、前記第１のバッテリーのバッテリーレベル及び前記第２のバッテリーのバッテリーレベルに基づいて、前記第１のバッテリーの充電電力及び前記第２のバッテリーの充電電力を決定し、前記第１の電子コントローラは、前記第１のバッテリーの前記充電電力に基づいて、前記電流制限回路を用いることによって前記第１の充電回路の前記電流制限ピンの電流を制御し、且つ前記第２のバッテリーの前記充電電力を前記周辺デバイスに送り、
前記第１のバッテリーを充電するために前記第１の充電回路によって用いられる前記充電電力は、前記電流制限ピンの前記電流に対応する、
請求項１〜９のいずれか１項に記載のモバイル端末。
【請求項１１】
前記電流制限回路は、第１４の抵抗器、第１５の抵抗器、第１６の抵抗器、及び第４のトランジスタを含み、
前記第１４の抵抗器の第１の端子は、前記第１の充電回路の前記電流制限ピンに接続され、前記第１４の抵抗器の第２の端子は、前記第４のトランジスタのコレクタに接続され、
前記第１５の抵抗器の第１の端子は、前記第１の充電回路の前記電流制限ピンに接続され、前記第１５の抵抗器の第２の端子は、接地端子に接続され、
前記第４のトランジスタのゲートは、前記第１６の抵抗器を用いることによって前記電流制限回路の前記制御端部に接続され、前記第４のトランジスタのエミッタは、前記接地端子に接続される、
請求項１０に記載のモバイル端末。
【請求項１２】
第１のディスプレイモジュールをさらに含み、
前記第１のバッテリーが充電状態にあると決定したとき、前記第１の電子コントローラは、前記モバイル端末が充電状態にあることを示すアイコンを表示するように前記第１のディスプレイモジュールを制御し、
前記第１のバッテリーが電力供給状態にあると決定したとき、前記第１の電子コントローラは、前記モバイル端末が電力供給状態にあることを示すアイコンを表示するように前記第１のディスプレイモジュールを制御し、
前記第２のバッテリーが充電状態にあると決定したとき、前記第１の電子コントローラは、前記周辺デバイスが充電状態にあることを示すアイコンを表示するように前記第１のディスプレイモジュールを制御し、
前記第２のバッテリーが電力供給状態にあると決定したとき、前記第１の電子コントローラは、前記周辺デバイスが電力供給状態にあることを示すアイコンを表示するように前記第１のディスプレイモジュールを制御する、
請求項１〜１１のいずれか１項に記載のモバイル端末。
【請求項１３】
前記モバイル端末の前記第１のバッテリーの前記バッテリーレベルが相対的に低く且つ第３の閾値未満であると決定したとき、前記第１の電子コントローラは、前記充電モードが、前記第２のバッテリーが前記第１のバッテリーを充電するものであると決定するように特に構成され、
前記周辺デバイスの前記第２のバッテリーの前記バッテリーレベルが相対的に低く且つ第４の閾値未満であると決定したとき、前記第１の電子コントローラは、前記充電モードが、前記第１のバッテリーが前記第２のバッテリーを充電するものであると決定するように特に構成される、
請求項１〜１２のいずれか１項に記載のモバイル端末。
【請求項１４】
前記第１のバッテリーが前記第２のバッテリーを充電しているとき、前記第１の電子コントローラが、前記第１のバッテリーの前記バッテリーレベルが第５の閾値未満であると決定する場合、前記第１の電子コントローラは、前記第２のスイッチがオフになるように制御し、充電終了制御命令を前記周辺デバイスに送信するように構成される、
請求項１３に記載のモバイル端末。
【請求項１５】
前記第２のバッテリーが前記第１のバッテリーを充電しているとき、前記第１の電子コントローラが、前記第２のバッテリーの前記バッテリーレベルが第６の閾値未満であると決定する場合、前記第１の電子コントローラは、前記第２のスイッチがオフになるように制御し、電力供給終了制御命令を前記周辺デバイスに送信するように構成される、
請求項１３に記載のモバイル端末。
【請求項１６】
前記第１のコネクタは、ポゴピンばねシンブルコネクタである、
請求項１〜１５のいずれか１項に記載のモバイル端末。
【請求項１７】
第３のスイッチ、第４のスイッチ、第２の充電ポート、第２の充電回路、第３のコネクタ、第２のバッテリー、及び第２の電子コントローラを含む周辺デバイスであって、
前記第３のスイッチの第１の端子は、前記第２の充電ポートに接続され、前記第３のスイッチの第２の端子は、前記第２の充電回路の第１の端部に接続され、
前記第４のスイッチの第１の端子は、前記第２の充電回路の前記第１の端部に接続され、前記第４のスイッチの第２の端子は、前記第３のコネクタに接続され、
前記第２の充電回路の第２の端部は、前記第２のバッテリーに接続され、且つ前記第２のバッテリーの充電プロセスを制御するように構成され、
前記第３のコネクタは、モバイル端末に接続されるように構成され、
前記第２の電子コントローラは、前記第３のスイッチの制御端子及び前記第４のスイッチの制御端子に接続され、且つ前記モバイル端末と通信し、
前記第２の電子コントローラは、前記モバイル端末によって送信される制御情報に基づいて充電モードを決定し、前記充電モードに基づいて前記第３のスイッチ及び前記第４のスイッチの状態を制御するように構成され、前記充電モードは、前記第２のバッテリーが前記モバイル端末の第１のバッテリーを充電するもの、又は前記第１のバッテリーが前記第２のバッテリーを充電するもの、を含み、
前記周辺デバイスは、第２の不感帯域制御回路及び第２の低ドロップアウト線形電圧調整器をさらに含み、
前記第２の不感帯域制御回路の第１の入力端部は、前記第２の充電ポートに接続され、前記第２の不感帯域制御回路の出力端部は、前記第２の電子コントローラに接続され、前記第２の低ドロップアウト線形電圧調整器の入力端部は、前記第２の充電回路の第３の端部に接続され、前記第２の低ドロップアウト線形電圧調整器の出力端部は、前記第２の不感帯域制御回路の第２の入力端部に接続され、
前記第２のバッテリーのバッテリーレベルが第２の閾値以下であり、且つ前記第２の充電ポートが充電器に接続されているとき、前記第２の充電ポートに接続された前記充電器は、前記第２の不感帯域制御回路を用いることによって前記第２の電子コントローラに電力を供給し、
前記第２のバッテリーの前記バッテリーレベルが前記第２の閾値を超過しているとき、前記第２のバッテリーは、前記第２の充電回路を用いることによって前記第２の低ドロップアウト線形電圧調整器に電力を供給し、前記第２の低ドロップアウト線形電圧調整器は、前記第２の不感帯域制御回路を用いることによって前記第２の電子コントローラに電力を供給する、
周辺デバイス。
【請求項１８】
第２のディスプレイモジュールをさらに含み、
前記第１のバッテリーが充電状態にあると決定したとき、前記第２の電子コントローラは、前記モバイル端末が充電状態にあることを示すアイコンを表示するように前記第２のディスプレイモジュールを制御し、
前記第１のバッテリーが電力供給状態にあると決定したとき、前記第２の電子コントローラは、前記モバイル端末が電力供給状態にあることを示すアイコンを表示するように前記第２のディスプレイモジュールを制御し、
前記第２のバッテリーが充電状態にあると決定したとき、前記第２の電子コントローラは、前記周辺デバイスが充電状態にあることを示すアイコンを表示するように前記第２のディスプレイモジュールを制御し、
前記第２のバッテリーが電力供給状態にあると決定したとき、前記第２の電子コントローラは、前記周辺デバイスが電力供給状態にあることを示すアイコンを表示するように前記第２のディスプレイモジュールを制御する、
請求項１７に記載の周辺デバイス。
【請求項１９】
前記第２の電子コントローラは、前記モバイル端末によって送信された充電終了制御命令を受信し、前記充電終了制御命令に従って、前記第４のスイッチがオフになるように制御するようにさらに構成される、
請求項１７に記載の周辺デバイス。
【請求項２０】
前記第２の電子コントローラは、前記モバイル端末によって送信された電力供給終了制御命令を受信し、前記電力供給終了制御命令に従って、前記第４のスイッチがオフになるように制御するようにさらに構成される、
請求項１７に記載の周辺デバイス。
【請求項２１】
請求項１〜１６のいずれか１項に記載の前記モバイル端末の充電方法であって、
前記モバイル端末によって、前記モバイル端末の第１のバッテリーのバッテリーレベル及び周辺デバイスの第２のバッテリーのバッテリーレベルに基づいて充電モードを決定するステップと、
前記モバイル端末によって、前記充電モードに基づいて第１のスイッチ及び第２のスイッチの状態を制御し、前記充電モードを前記周辺デバイスに通知するために制御情報を前記周辺デバイスに送信するステップであって、前記充電モードは、前記第１のバッテリーが前記周辺デバイスの前記第２のバッテリーを充電するもの、又は前記第２のバッテリーが前記第１のバッテリーを充電するものを含む、ステップと、
を含む、方法。
【請求項２２】
前記方法は、
前記モバイル端末によって、前記モバイル端末の第１の充電ポートのサンプリング電圧に基づいて、前記第１の充電ポートが充電器に接続されているかどうかを決定するステップと、
前記モバイル端末の前記第１の充電ポートが充電器に接続されている、及び／又は、前記周辺デバイスの第２の充電ポートが充電器に接続されていると決定したとき、前記モバイル端末によって、前記充電モードを再決定するステップであって、
前記充電モードは、前記第１の充電ポートに接続された前記充電器が前記第１のバッテリー及び前記第２のバッテリーを充電するもの、前記周辺デバイスの前記第２の充電ポートに接続された前記充電器が前記第１のバッテリー及び前記第２のバッテリーを充電するもの、又は、前記第１の充電ポートに接続された前記充電器が前記第１のバッテリーを充電し且つ前記第２の充電ポートに接続された前記充電器が前記第２のバッテリーを充電するもの、をさらに含む、ステップと、
をさらに含む、
請求項２１に記載の方法。
【請求項２３】
前記方法は、
前記モバイル端末によって、前記モバイル端末の前記第１のバッテリーの前記バッテリーレベル及び前記周辺デバイスの前記第２のバッテリーの前記バッテリーレベルに基づいて、前記第１のバッテリーの充電電力及び前記第２のバッテリーの充電電力を決定し、前記第２のバッテリーの前記充電電力を前記周辺デバイスに送るステップをさらに含む、
請求項２２に記載の方法。
【請求項２４】
前記方法は、
前記第１のバッテリーが充電状態にあると決定したとき、前記モバイル端末によって、前記モバイル端末が充電状態にあることを示すアイコンを表示するステップと、
前記第１のバッテリーが電力供給状態にあると決定したとき、前記モバイル端末によって、前記モバイル端末が電力供給状態にあることを示すアイコンを表示するステップと、
前記第２のバッテリーが充電状態にあると決定したとき、前記モバイル端末によって、前記周辺デバイスが充電状態にあることを示すアイコンを表示するステップと、
前記第２のバッテリーが電力供給状態にあると決定したとき、前記モバイル端末によって、前記周辺デバイスが電力供給状態にあることを示すアイコンを表示するステップと、
をさらに含む、
請求項２１〜２３のいずれか１項に記載の方法。
【請求項２５】
前記モバイル端末によって、前記モバイル端末の第１のバッテリーのバッテリーレベル及び周辺デバイスの第２のバッテリーのバッテリーレベルに基づいて充電モードを決定する前記ステップは、
前記モバイル端末の前記第１のバッテリーの前記バッテリーレベルが相対的に低く且つ第３の閾値未満であると決定したとき、前記モバイル端末によって、前記充電モードが、前記第２のバッテリーが前記第１のバッテリーを充電するものであると決定するステップ、又は
前記周辺デバイスの前記第２のバッテリーの前記バッテリーレベルが相対的に低く且つ第４の閾値未満であると決定したとき、前記モバイル端末によって、前記充電モードが、前記第１のバッテリーが前記第２のバッテリーを充電するものであると決定するステップ
を含む、
請求項２１に記載の方法。
【請求項２６】
前記第１のバッテリーが前記第２のバッテリーを充電しているとき、前記モバイル端末が、前記第１のバッテリーの前記バッテリーレベルが第５の閾値未満であると決定する場合、前記モバイル端末によって、前記第２のスイッチがオフになるように制御し、充電終了制御命令を前記周辺デバイスに送信するステップをさらに含む、
請求項２５に記載の方法。
【請求項２７】
前記第２のバッテリーが前記第１のバッテリーを充電しているとき、前記モバイル端末が、前記第２のバッテリーの前記バッテリーレベルが第６の閾値未満であると決定する場合、前記モバイル端末によって、前記第２のスイッチがオフになるように制御し、電力供給終了制御命令を前記周辺デバイスに送信するステップをさらに含む、
請求項２５に記載の方法。
【請求項２８】
請求項１７〜２０のいずれか１項に記載の前記周辺デバイスの充電方法であって、
前記周辺デバイスによって、前記モバイル端末によって送信された制御情報に基づいて充電モードを決定するステップと、
前記周辺デバイスによって、前記充電モードに基づいて前記第３のスイッチ及び前記第４のスイッチの状態を制御するステップであって、前記充電モードは、前記第２のバッテリーが前記第１のバッテリーを充電するもの、又は前記第１のバッテリーが前記第２のバッテリーを充電するものを含む、ステップと、
を含む、方法。
【請求項２９】
前記第１のバッテリーが充電状態にあると決定したとき、前記周辺デバイスによって、前記モバイル端末が充電状態にあることを示すアイコンを表示するステップと、
前記第１のバッテリーが電力供給状態にあると決定したとき、前記周辺デバイスによって、前記モバイル端末が電力供給状態にあることを示すアイコンを表示するステップと、
前記第２のバッテリーが充電状態にあると決定したとき、前記周辺デバイスによって、前記周辺デバイスが充電状態にあることを示すアイコンを表示するステップと、
前記第２のバッテリーが電力供給状態にあると決定したとき、前記周辺デバイスによって、前記周辺デバイスが電力供給状態にあることを示すアイコンを表示するステップと、
をさらに含む、
請求項２８に記載の方法。
【請求項３０】
前記周辺デバイスによって、前記モバイル端末によって送信された充電終了制御命令を受信し、前記充電終了制御命令に従って、前記第４のスイッチがオフになるように制御するステップをさらに含む、
請求項２８に記載の方法。
【請求項３１】
前記周辺デバイスによって、前記モバイル端末によって送信された電力供給終了制御命令を受信し、前記電力供給終了制御命令に従って、前記第４のスイッチがオフになるように制御するステップをさらに含む、
請求項２８に記載の方法。
【発明の詳細な説明】
【技術分野】
【０００１】
この出願は、電子デバイス技術の分野に関し、特に、モバイル端末、周辺デバイス、及びこれらの充電方法に関する。
【背景技術】
【０００２】
現在、タブレットコンピュータは、内蔵リチウムイオン電池を使用することによってシステムに電力を供給している。市販のタブレットコンピュータは、より軽く、より薄くなる傾向にあるので、タブレットコンピュータのバッテリー容量は、一般に、空間的な制限に起因して（およそ４０００〜６０００ｍＡｈに）制限される。また、大きな画面サイズ及び高い電力消費は、バッテリー寿命を平均４〜６時間にさらに制限する。外出する場合、ユーザは通常、モバイル電源パックを持参しなければならないが、これは依然としてバッテリー寿命を有効に延長することができない。しかし、電源アダプタを使用することによって交流電源が接続される場合、可搬性は大いに損なわれる。軽負荷のオフィスシナリオにおいて、例えば、タブレットコンピュータのユーザが、オフィス（ｏｆｆｉｃｅ）ソフトウェアを使用する場合、タブレットコンピュータの内蔵バーチャルキーボードは、画面表示空間を占領する。外部キーボードが、文字入力及び他の動作のために使用される場合、タブレットコンピュータは、ユーザにとって作業時のためにより好都合なものとすることができる。そのような２イン１ＰＣは、比較的良好な開発展望を有する。しかし、先行技術において、２イン１ＰＣは、バッテリー寿命の点において依然として改善される必要がある。
【発明の概要】
【０００３】
この出願の実施形態は、モバイル端末、周辺デバイス、及びこれらの充電方法を開示する。モバイル端末及び周辺デバイスは、別々に電力供給されてもよく、コネクタを使用することによって接続された場合、モバイル端末及び周辺デバイスは、互いを充電してもよく、それによって、モバイル端末が周辺デバイスと共に使用される場合、バッテリー寿命を延長する。
【０００４】
前述の目的を達成するために、以下の技術的解決策が、この出願の実施形態において使用される。
【０００５】
第１の態様によれば、電子デバイス、モバイル端末が提供される。モバイル端末は、第１のスイッチと、第２のスイッチと、第１の充電ポートと、第１の充電回路と、第１のコネクタと、第１のバッテリーと、第１の電子コントローラとを含む。第１のスイッチの第１の端子は、第１の充電ポートに接続され、第１のスイッチの第２の端子は、第１の充電回路の第１の端部に接続される。第２のスイッチの第１の端子は、第１の充電回路の第１の端部に接続され、第２のスイッチの第２の端子は、第１のコネクタに接続される。第１の充電回路の第２の端部は、第１のバッテリーに接続され、第１のバッテリーの充電プロセスを制御するように構成される。第１のコネクタは、周辺デバイスに接続するように構成される。第１の電子コントローラは、第１のスイッチの制御端子及び第２のスイッチの制御端子に接続され、周辺デバイスと通信する。第１の電子コントローラは、第１のバッテリーのバッテリーレベル、及び周辺デバイスの第２のバッテリーのバッテリーレベルに基づいて、充電モードを決定し、充電モードに基づいて、第１のスイッチ及び第２のスイッチの状態を制御し、制御情報を周辺デバイスへ送って、周辺デバイスに充電モードを通知するように構成される。充電モードは、第１のバッテリーが第２のバッテリーを充電すること、又は第２のバッテリーが第１のバッテリーを充電することを含む。この解決策において、モバイル端末及び周辺デバイスは、別々に電力供給されてよく、コネクタを使用することによって接続された場合、モバイル端末及び周辺デバイスは、互いを充電してよく、それによって、モバイル端末が周辺デバイスと共に使用される場合、バッテリー寿命を延長する。これは製品機能を強化し、製品競争力を向上させる。
【０００６】
例示的な実装において、モバイル端末は、第１の不感帯域制御回路と、第１の低ドロップアウト線形電圧調整器とをさらに含む。第１の不感帯域制御回路の第１の入力端部は、第１の充電ポートに接続され、第１の不感帯域制御回路の出力端部は、第１の電子コントローラに接続される。第１の低ドロップアウト線形電圧調整器の入力端部は、第１の充電回路の第３の端部に接続され、第１の低ドロップアウト線形電圧調整器の出力端部は、第１の不感帯域制御回路の第２の入力端部に接続される。第１のバッテリーのバッテリーレベルが第１の閾値以下であり、且つ、第１の充電ポートが充電器に接続される場合、第１の充電ポートに接続された充電器は、第１の不感帯域制御回路を使用することによって第１の電子コントローラに電力を供給する。第１のバッテリーのバッテリーレベルが第１の閾値より大きい場合、第１のバッテリーは、第１の充電回路を使用することによって第１の低ドロップアウト線形電圧調整器に電力を供給し、第１の低ドロップアウト線形電圧調整器は、第１の不感帯域制御回路を使用することによって第１の電子コントローラに電力を供給する。このようにして、第１のスイッチのデフォルト状態はオフ状態であり、その結果、充電器がモバイル端末の第１の充電ポートに差し込まれていない場合、モバイル端末の第１の充電ポートは、内部回路から分離され、モバイル端末が正常な作動状態にある場合、露出された第１の充電ポートは充電されない。第１のスイッチ及び第２のスイッチを制御するためには、第１の電子コントローラは、通常電源を必要とする。第１のバッテリーのバッテリーレベルが低い場合、第１のバッテリーは、第１の電子コントローラに正常に電力を供給することができない。従って、この場合において、第１のスイッチがオフ状態にある場合、第１の充電ポートが充電器に接続されたとしても、第１のバッテリーは、第１のスイッチを使用することによって充電されて、第１の電子コントローラに正常に電力を供給することができない。ここでは、第１の不感帯域制御回路は、第１の電子コントローラに通常電源への経路を提供し、その結果、第１のバッテリーのバッテリーレベルが低い場合に、第１の充電ポートが充電器に接続されたとき、第１の電子コントローラは、正常に電力供給されることができ、第１のスイッチをオンにさらに制御して、第１のバッテリーを充電することができる。
【０００７】
例示的な実装において、第１の不感帯域制御回路は、バックコンバータＢＵＣＫ回路と、第１の抵抗器と、第２の抵抗器と、第３の抵抗器と、第４の抵抗器と、第５の抵抗器と、第６の抵抗器と、第７の抵抗器と、第１のトランジスタと、第２のトランジスタと、第１のＭＯＳ（Ｍｅｔａｌ−Ｏｘｉｄｅ−Ｓｅｍｉｃｏｎｄｕｃｔｏｒ、金属酸化膜半導体）トランジスタと、第２のＭＯＳトランジスタとを含む。ＢＵＣＫ回路の入力端部は、第１の不感帯域制御回路の第１の入力端部に接続される。第１の抵抗器の第１の端子は、第１の不感帯域制御回路の第１の入力端部に接続される。第１の抵抗器の第２の端子は、ＢＵＣＫ回路のイネーブルＥＮ（Ｅｎａｂｌｅ）端部に接続される。第１の抵抗器の第２の端子は、第２の抵抗器を使用することによって接地端子にさらに接続される。ＢＵＣＫ回路のＥＮ端部は、第１のトランジスタのコレクタにさらに接続される。第１のトランジスタのエミッタは、接地端子に接続される。第１のトランジスタのベースは、第３の抵抗器の第１の端子に接続される。第３の抵抗器の第２の端子は、第１の不感帯域制御回路の第２の入力端部に接続される。第３の抵抗器の第２の端子は、第４の抵抗器の第１の端子にさらに接続される。ＢＵＣＫ回路の出力端部は、第１のＭＯＳトランジスタのドレインに接続される。第１のＭＯＳトランジスタのソースは、第２のＭＯＳトランジスタのソースに接続される。第１のＭＯＳトランジスタのゲートは、第５の抵抗器を使用することによって接地端子に接続される。第４の抵抗器の第２の端子は、第１のＭＯＳトランジスタのゲートにさらに接続される。第２のＭＯＳトランジスタのソースは、第６の抵抗器を使用することによって第２のＭＯＳトランジスタのゲートに接続される。第２のＭＯＳトランジスタのソースは、第１の不感帯域制御回路の出力端部に接続される。第２のＭＯＳトランジスタのゲートは、第２のトランジスタのコレクタにさらに接続される。第２のＭＯＳトランジスタのドレインは、第１の不感帯域制御回路の第２の入力端部に接続される。第２のトランジスタのベースは、第７の抵抗器を使用することによって第１の不感帯域制御回路の第２の入力端部に接続される。
【０００８】
例示的な実装において、第１のショットキーダイオードと、第２のショットキーダイオードとがさらに含まれる。第１のショットキーダイオードのアノードは、第１の充電ポートに接続される。第１のショットキーダイオードのカソードは、第２のショットキーダイオードのカソードに接続される。第２のショットキーダイオードのアノードは、第２のスイッチの第２の端子に接続される。第１のショットキーダイオードのカソードは、第１の不感帯域制御回路の第１の入力端部にさらに接続される。
【０００９】
例示的な実装において、モバイル端末は、充電器インポジション検出回路をさらに含み、充電器インポジション検出回路は、第１の充電ポート及び第１の電子コントローラに接続される。充電器インポジション検出回路は、第１の充電ポートのサンプリング電圧を取得するように構成され、第１の電子コントローラは、サンプリング電圧に基づいて、第１の充電ポートが充電器に接続されているかどうかを決定するように構成される。第１の充電ポートが充電器に接続されている、及び／又は周辺デバイスの第２の充電ポートが充電器に接続されている、と第１の電子コントローラが決定した場合、第１の電子コントローラは、充電モードを再決定するようにさらに構成される。充電モードは、第１の充電ポートに接続された充電器が第１のバッテリー及び第２のバッテリーを充電すること、第２の充電ポートに接続された充電器が第１のバッテリー及び第２のバッテリーを充電すること、又は、第１の充電ポートに接続された充電器が第１のバッテリーを充電し、第２の充電ポートに接続された充電器が第２のバッテリーを充電することをさらに含む。充電器インポジション検出回路は、第８の抵抗器と、第９の抵抗器とを含む。第８の抵抗器の第１の端子は、第１の充電ポートに接続され、第８の抵抗器の第２の端子は、第９の抵抗器の第１の端子に接続される。第９の抵抗器の第２の端子は、接地端子に接続され、第９の抵抗器の第１の端子は、第１の電子コントローラに接続される。第１の電子コントローラは、第９の抵抗器の第１の端子のサンプリング電圧を取得し、サンプリング電圧に基づいて、充電ポートが充電器に接続されているかどうかを決定するように構成される。
【００１０】
例示的な実装において、モバイル端末は、ピアデバイスインポジション検出回路をさらに含む。ピアデバイスインポジション検出回路は、第１の電子コントローラ及び第２のコネクタに接続される。第２のコネクタは、ピアデバイスの接地端子に接続するように構成される。第２のコネクタがピアデバイスの接地端子に接続される場合、第１の電子コントローラは、第２のコネクタの電圧レベルに基づいて、ピアデバイスが適所にあると決定する。ピアデバイスインポジション検出回路は、第１０の抵抗器と、第１１の抵抗器とを含む。第１０の抵抗器の第１の端子は、所定の電圧値を有する電源に接続され、第１０の抵抗器の第２の端子は、第１１の抵抗器の第１の端子に接続される。第１１の抵抗器の第２の端子は、接地端子に接続される。第１０の抵抗器の第２の端子は、第１の電子コントローラ及び第２のコネクタにさらに接続される。
【００１１】
例示的な実装において、第１の充電ポートは、ＵＳＢ（Ｕｎｉｖｅｒｓａｌ  Ｓｅｒｉａｌ  Ｂｕｓ、ユニバーサルシリアルバス）ポートである。第１の充電ポートは、識別ＩＤ（ｉｄｅｎｔｉｆｉｃａｔｉｏｎ）ピンを含む。ＩＤピンは、第１の電子コントローラに接続される。ＯＴＧ（Ｏｎ−Ｔｈｅ−Ｇｏ）送信コネクタが充電ポートに差し込まれる場合、第１の電子コントローラは、ＩＤピンの電圧レベルに基づいて、ＯＴＧ送信コネクタが第１の充電ポートに差し込まれているかどうかを決定するように構成される。
【００１２】
例示的な実装において、第１のスイッチ及び／又は第２のスイッチは、第３のＭＯＳトランジスタと、第４のＭＯＳトランジスタと、第１２の抵抗器と、第１３の抵抗器と、第３のトランジスタとを含む。第３のＭＯＳトランジスタのソースは、第４のＭＯＳトランジスタのソースに接続される。第３のＭＯＳトランジスタのソースは、第１２の抵抗器の第１の端子にさらに接続される。第１２の抵抗器の第２の端子は、第３のＭＯＳトランジスタのゲート、第４のＭＯＳトランジスタのゲート、及び第１３の抵抗器の第１の端子に接続される。第１３の抵抗器の第２の端子は、第３のトランジスタのコレクタに接続される。第３のトランジスタのエミッタは、接地端子に接続される。第３のＭＯＳトランジスタ、第４のＭＯＳトランジスタ、第１２の抵抗器、第１３の抵抗器、及び第３のトランジスタが、第１のスイッチを構成する場合、第３のＭＯＳトランジスタのドレインは、第１のスイッチの第１の端子に接続される。第４のＭＯＳトランジスタのドレインは、第１のスイッチの第２の端子に接続される。第３のトランジスタのベースは、第１のスイッチの制御端子に接続される。第３のＭＯＳトランジスタ、第４のＭＯＳトランジスタ、第１２の抵抗器、第１３の抵抗器、及び第３のトランジスタが、第２のスイッチを構成する場合、第３のＭＯＳトランジスタのドレインは、第２のスイッチの第１の端子に接続され、第４のＭＯＳトランジスタのドレインは、第２のスイッチの第２の端子に接続され、第３のトランジスタのベースは、第２のスイッチの制御端子に接続される。
【００１３】
例示的な実装において、電流制限回路がさらに含まれる。第１の充電回路の電流制限ピンは、電流制限回路の入力端部に接続される。電流制限回路の制御端部は、第１の電子コントローラに接続される。第１の電子コントローラは、第１のバッテリーのバッテリーレベル及び第２のバッテリーのバッテリーレベルに基づいて、第１のバッテリーの充電電力及び第２のバッテリーの充電電力を決定する。第１の電子コントローラは、第１のバッテリーの充電電力に基づいて、電流制限回路を使用することによって第１の充電回路の電流制限ピンの電流を制御し、第２のバッテリーの充電電力を周辺デバイスに送る。第１のバッテリーを充電するために第１の充電回路によって使用される充電電力は、電流制限ピンの電流に対応する。電流制限回路は、第１４の抵抗器と、第１５の抵抗器と、第１６の抵抗器と、第４のトランジスタとを含む。第１４の抵抗器の第１の端子は、第１の充電回路の電流制限ピンに接続され、第１４の抵抗器の第２の端子は、第４のトランジスタのコレクタに接続される。第１５の抵抗器の第１の端子は、第１の充電回路の電流制限ピンに接続され、第１５の抵抗器の第２の端子は、接地端子に接続される。第４のトランジスタのゲートは、第１６の抵抗器を使用することによって電流制限回路の制御端部に接続され、第４のトランジスタのエミッタは、接地端子に接続される。
【００１４】
例示的な実装において、第１のディスプレイモジュールがさらに含まれる。第１のバッテリーが充電状態にあると決定する場合、第１の電子コントローラは、第１のディスプレイモジュールを制御して、モバイル端末が充電状態にあることを示すアイコンを表示する。第１のバッテリーが電力供給状態にあると決定する場合、第１の電子コントローラは、第１のディスプレイモジュールを制御して、モバイル端末が電力供給状態にあることを示すアイコンを表示する。第２のバッテリーが充電状態にあると決定する場合、第１の電子コントローラは、第１のディスプレイモジュールを制御して、周辺デバイスが充電状態にあることを示すアイコンを表示する。第２のバッテリーが電力供給状態にあると決定する場合、第１の電子コントローラは、第１のディスプレイモジュールを制御して、周辺デバイスが電力供給状態にあることを示すアイコンを表示する。
【００１５】
例示的な実装において、第１の電子コントローラは、モバイル端末の第１のバッテリーのバッテリーレベルが比較的低く、第３の閾値未満であると決定する場合、充電モードが、第２のバッテリーが第１のバッテリーを充電するものであると決定するように特に構成される。第１の電子コントローラは、周辺デバイスの第２のバッテリーのバッテリーレベルが比較的低く、第４の閾値未満であると決定する場合、充電モードが、第１のバッテリーが第２のバッテリーを充電するものであると決定するように特に構成される。
【００１６】
例示的な実装において、第１のバッテリーが第２のバッテリーを充電する場合に、第１のバッテリーのバッテリーレベルが第５の閾値未満であると第１の電子コントローラが決定したとき、第１の電子コントローラは、第２のスイッチがオフになるように制御し、充電終了制御命令を周辺デバイスへ送るように構成される。
【００１７】
例示的な実装において、第２のバッテリーが第１のバッテリーを充電する場合に、第２のバッテリーのバッテリーレベルが第６の閾値未満であると第１の電子コントローラが決定したとき、第１の電子コントローラは、第２のスイッチがオフになるように制御し、電力供給終了制御命令を周辺デバイスへ送るように構成される。
【００１８】
例示的な実装において、第１のコネクタは、ポゴピンばねシンブルコネクタである。
【００１９】
第２の態様によれば、周辺デバイスが提供される。周辺デバイスは、第３のスイッチと、第４のスイッチと、第２の充電ポートと、第２の充電回路と、第３のコネクタと、第２のバッテリーと、第２の電子コントローラとを含む。第３のスイッチの第１の端子は、第２の充電ポートに接続され、第３のスイッチの第２の端子は、第２の充電回路の第１の端部に接続される。第４のスイッチの第１の端子は、第２の充電回路の第１の端部に接続され、第４のスイッチの第２の端子は、第３のコネクタに接続される。第２の充電回路の第２の端部は、第２のバッテリーに接続され、第２のバッテリーの充電プロセスを制御するように構成される。第３のコネクタは、モバイル端末に接続するように構成される。第２の電子コントローラは、第３のスイッチの制御端子及び第４のスイッチの制御端子に接続され、モバイル端末と通信する。第２の電子コントローラは、モバイル端末によって送られた制御情報に基づいて充電モードを決定し、充電モードに基づいて、第３のスイッチ及び第４のスイッチの状態を制御するように構成される。充電モードは、第２のバッテリーが第１のバッテリーを充電すること、又は第１のバッテリーが第２のバッテリーを充電することを含む。この解決策において、モバイル端末及び周辺デバイスは、別々に電力供給されてよく、コネクタを使用することによって接続された場合、モバイル端末及び周辺デバイスは、互いを充電してよく、それによって、モバイル端末が周辺デバイスと共に使用される場合にバッテリー寿命を延長する。これは製品機能を強化し、製品競争力を向上させる。
【００２０】
例示的な実装において、周辺デバイスは、第２の不感帯域制御回路と、第２の低ドロップアウト線形電圧調整器とをさらに含む。第２の不感帯域制御回路の第１の入力端部は、第２の充電ポートに接続され、第２の不感帯域制御回路の出力端部は、第２の電子コントローラに接続される。第２の低ドロップアウト線形電圧調整器の入力端部は、第２の充電回路の第３の端部に接続され、第２の低ドロップアウト線形電圧調整器の出力端部は、第２の不感帯域制御回路の第２の入力端部に接続される。第２のバッテリーのバッテリーレベルが第２の閾値以下であり、第２の充電ポートが充電器に接続される場合、第２の充電ポートに接続された充電器は、第２の不感帯域制御回路を使用することによって第２の電子コントローラに電力を供給する。第２のバッテリーのバッテリーレベルが第２の閾値より大きい場合、第２のバッテリーは、第２の充電回路を使用することによって第２の低ドロップアウト線形電圧調整器に電力を供給し、第２の低ドロップアウト線形電圧調整器は、第２の不感帯域制御回路を使用することによって第２の電子コントローラに電力を供給する。このようにして、第３のスイッチのデフォルト状態はオフ状態であり、その結果、充電器がモバイル端末の第２の充電ポートに差し込まれていない場合、モバイル端末の第２の充電ポートは、内部回路から分離され、モバイル端末が通常の作動状態にある場合、露出された第２の充電ポートは充電されない。第３のスイッチ及び第４のスイッチを制御するために、第２の電子コントローラは、通常電源を必要とする。第２のバッテリーのバッテリーレベルが低い場合、第２のバッテリーは通常、第２の電子コントローラに電力を供給することができない。従って、この場合において、第３のスイッチがオフ状態にある場合、第２の充電ポートが充電器に接続されたとしても、第２のバッテリーは、第２の電子コントローラに通常通り電力を供給するために、第３のスイッチを使用することによって充電することができない。ここでは、第２の不感帯域制御回路は、第２の電子コントローラに通常電源のための経路を提供し、その結果、第２のバッテリーのバッテリーレベルが低い場合、第２の充電ポートが充電器に接続されるとき、第２の電子コントローラは、通常通り電力供給されることができ、第３のスイッチがオンになるようにさらに制御して、第２のバッテリーを充電することができる。
【００２１】
例示的な実装において、第２のディスプレイモジュールがさらに含まれる。第１のバッテリーが充電状態にあると決定する場合、第２の電子コントローラは、第２のディスプレイモジュールを制御して、モバイル端末が充電状態にあることを示すアイコンを表示する。第１のバッテリーが電力供給状態にあると決定する場合、第２の電子コントローラは、第２のディスプレイモジュールを制御して、モバイル端末が電力供給状態にあることを示すアイコンを表示する。第２のバッテリーが充電状態にあると決定する場合、第２の電子コントローラは、第２のディスプレイモジュールを制御して、周辺デバイスが充電状態にあることを示すアイコンを表示する。第２のバッテリーが電力供給状態にあると決定する場合、第２の電子コントローラは、第２のディスプレイモジュールを制御して、周辺デバイスが電力供給状態にあることを示すアイコンを表示する。
【００２２】
例示的な実装において、第２の電子コントローラは、モバイル端末によって送られた充電終了制御命令を受信し、充電終了制御命令に従って第４のスイッチがオフになるように制御するようにさらに構成される。
【００２３】
例示的な実装において、第２の電子コントローラは、モバイル端末によって送られた電力供給終了制御命令を受信し、電力供給終了制御命令に従って第４のスイッチをオフになるように制御するようにさらに構成される。
【００２４】
第３の態様によれば、モバイル端末の充電方法が提供される。充電方法は、モバイル端末によって、モバイル端末の第１のバッテリーのバッテリーレベル、及び周辺デバイスの第２のバッテリーのバッテリーレベルに基づいて、充電モードを決定するステップと、モバイル端末によって、充電モードに基づいて第１のスイッチ及び第２のスイッチの状態を制御するステップと、制御情報を周辺デバイスへ送って、周辺デバイスに充電モードを通知するステップとを含み、充電モードは、第１のバッテリーが周辺デバイスの第２のバッテリーを充電すること、又は第２のバッテリーが第１のバッテリーを充電することを含む。この解決策において、モバイル端末及び周辺デバイスは、別々に電力供給されてよく、コネクタを使用することによって接続された場合、モバイル端末及び周辺デバイスは、互いを充電してよく、それによって、モバイル端末が周辺デバイスと共に使用される場合、バッテリー寿命を延長する。これは製品機能を強化し、製品競争力を向上させる。
【００２５】
例示的な実装において、方法は、モバイル端末によって、モバイル端末の第１の充電ポートのサンプリング電圧に基づいて、第１の充電ポートが充電器に接続されているかどうかを決定するステップと、モバイル端末の第１の充電ポートが充電器に接続されている、及び／又は周辺デバイスの第２の充電ポートが充電器に接続されている、と決定する場合、モバイル端末によって、充電モードを再決定するステップとをさらに含み、充電モードは、第１の充電ポートに接続された充電器が第１のバッテリー及び第２のバッテリーを充電すること、周辺デバイスの第２の充電ポートに接続された充電器が第１のバッテリー及び第２のバッテリーを充電すること、又は第１の充電ポートに接続された充電器が第１のバッテリーを充電し、第２の充電ポートに接続された充電器が第２のバッテリーを充電することをさらに含む。
【００２６】
例示的な実装において、方法は、モバイル端末によって、モバイル端末の第１のバッテリーのバッテリーレベル及び周辺デバイスの第２のバッテリーのバッテリーレベルに基づいて、第１のバッテリーの充電電力及び第２のバッテリーの充電電力を決定するステップと、第２のバッテリーの充電電力を周辺デバイスに送るステップとをさらに含む。
【００２７】
例示的な実装において、方法は、第１のバッテリーが充電状態にあると決定する場合、モバイル端末によって、モバイル端末は充電状態にあることを示すアイコンを表示するステップと、第１のバッテリーが電力供給状態にあると決定する場合、モバイル端末によって、モバイル端末は電力供給状態にあることを示すアイコンを表示するステップと、第２のバッテリーが充電状態にあると決定する場合、モバイル端末によって、周辺デバイスは充電状態にあることを示すアイコンを表示するステップと、第２のバッテリーが電力供給状態にあると決定する場合、モバイル端末によって、周辺デバイスが電力供給状態にあることを示すアイコンを表示するステップとをさらに含む。
【００２８】
例示的な実装において、モバイル端末によって、モバイル端末の第１のバッテリーのバッテリーレベル及び周辺デバイスの第２のバッテリーのバッテリーレベルに基づいて、充電モードを決定するステップは、モバイル端末の第１のバッテリーのバッテリーレベルが比較的低く、第３の閾値未満であると決定する場合、モバイル端末によって、充電モードは、第２のバッテリーが第１のバッテリーを充電するものであると決定するステップ、又は、周辺デバイスの第２のバッテリーのバッテリーレベルが比較的低く、第４の閾値未満であると決定する場合、モバイル端末によって、充電モードは、第１のバッテリーが第２のバッテリーを充電するものであると決定するステップを含む。
【００２９】
例示的な実装において、第１のバッテリーが第２のバッテリーを充電する場合に、第１のバッテリーのバッテリーレベルが第５の閾値未満であるとモバイル端末が決定したとき、モバイル端末は、第２のスイッチがオフになるように制御し、充電終了制御命令を周辺デバイスに送る。
【００３０】
例示的な実装において、第２のバッテリーが第１のバッテリーを充電する場合に、第２のバッテリーのバッテリーレベルが第６の閾値未満であるとモバイル端末が決定したとき、モバイル端末は、第２のスイッチがオフになるように制御し、電力供給終了制御命令を周辺デバイスに送る。
【００３１】
第４の態様によれば、周辺デバイスの充電方法が提供される。充電方法は、周辺デバイスによって、モバイル端末によって送られた制御情報に基づいて、充電モードを決定するステップと、周辺デバイスによって、充電モードに基づいて、第３のスイッチ及び第４のスイッチの状態を制御するステップとを含み、充電モードは、第２のバッテリーが第１のバッテリーを充電すること、又は第１のバッテリーが第２のバッテリーを充電することを含む。この解決策において、モバイル端末及び周辺デバイスは、別々に電力供給されてよく、コネクタを使用することによって接続された場合、モバイル端末及び周辺デバイスは、互いを充電してよく、それによって、モバイル端末が周辺デバイスと共に使用される場合、バッテリー寿命を延長する。これは製品機能を強化し、製品競争力を向上させる。
【００３２】
例示的な実装において、方法は、第１のバッテリーが充電状態にあると決定する場合、周辺デバイスによって、モバイル端末は充電状態にあることを示すアイコンを表示するステップと、第１のバッテリーが電力供給状態にあると決定する場合、周辺デバイスによって、モバイル端末は電力供給状態にあることを示すアイコンを表示するステップと、第２のバッテリーが充電状態にあると決定する場合、周辺デバイスによって、周辺デバイスは充電状態にあることを示すアイコンを表示するステップと、第２のバッテリーが電力供給状態にあると決定する場合、周辺デバイスによって、周辺デバイスが電力供給状態にあることを示すアイコンを表示するステップとをさらに含む。
【００３３】
例示的な実装において、方法は、周辺デバイスによって、モバイル端末によって送られた充電終了制御命令を受信するステップと、充電終了制御命令に従って、第４のスイッチがオフになるように制御するステップとをさらに含む。
【００３４】
例示的な実装において、方法は、周辺デバイスによって、モバイル端末によって送られた電力供給終了制御命令を受信するステップと、電力供給終了制御命令に従って、第４のスイッチがオフになるように制御するステップとをさらに含む。
【図面の簡単な説明】
【００３５】
この出願の実施形態における、又は先行技術における技術的解決策をより明確に説明するために、下記は、実施形態又は先行技術を説明するために必要な添付の図面を簡単に説明する。
【００３６】
【図１】この出願の実施形態による適用シナリオの概略図である。
【図２】この出願の実施形態による別の適用シナリオの概略図である。
【図３】この出願の実施形態によるコネクタの接続手法の概略図である。
【図４】この出願の実施形態によるモバイル端末及び周辺デバイスの概略構造図である。
【図５】この出願の別の実施形態によるモバイル端末及び周辺デバイスの概略構造図である。
【図６】この出願のまた別の実施形態によるモバイル端末及び周辺デバイスの概略構造図である。
【図７】この出願のさらに別の実施形態によるモバイル端末の概略構造図である。
【図８】この出願の実施形態によるスイッチの概略構造図である。
【図９】この出願の実施形態による第１の充電回路によって使用される充電器チップの概略構造図である。
【図１０】この出願の実施形態による第１の電流制限回路の概略構造図である。
【図１１】この出願の実施形態によるモバイル端末の表示インターフェースの概略図である。
【図１２】この出願の別の実施形態によるモバイル端末の表示インターフェースの概略図である。
【図１３】この出願のまた別の実施形態によるモバイル端末の表示インターフェースの概略図である。及び
【図１４Ａ】この出願の実施形態による充電制御ロジックの概略図である。
【図１４Ｂ】この出願の実施形態による充電制御ロジックの概略図である。
【発明を実施するための形態】
【００３７】
下記は、添付の図面を参照しつつ、この出願の実施形態を説明する。
【００３８】
この出願の実施形態は、モバイル端末と、モバイル端末の周辺デバイスとに関連する。モバイル端末は、携帯電話、タブレットコンピュータ、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ、ポイントオブセールス）、車載コンピュータ等であってよい。モバイル端末は、ＲＦ（Ｒａｄｉｏ  Ｆｒｅｑｕｅｎｃｙ、無線周波数）回路、メモリ、別の入力デバイス、表示画面、センサ、オーディオ回路、入出力サブシステム、プロセッサ、充電管理チップ、及び電力管理チップなどの構成要素を含んでよい。モバイル端末は、カメラ、ブルートゥースモジュール、仮想キー、及び物理キーなどの構成要素をさらに含んでよく、詳細はここでは説明されない。当業者は、モバイル端末の前述の構造がいかなる限定も構成せず、モバイル端末が、より多くの構成要素を含んだり、若しくはより少ない構成要素を含んだり、又はいくつかの構成要素を組み合わせたり、又はいくつかの構成要素を分割したり、又は異なる構成要素配置を有したりしてよいことを理解し得る。当業者は、表示画面がユーザインターフェース（ＵＩ、Ｕｓｅｒ  Ｉｎｔｅｒｆａｃｅ）に属し、携帯電話が図に示されるユーザインターフェースより多い又は少ないユーザインターフェースを含んでよいことを理解し得る。モバイル端末の加工工程において、モバイル端末内のバッテリーは、前述の構成要素に電力を供給し得る。周辺デバイスは、キーボード、ドッキングステーション、ＶＲ（Ｖｉｒｔｕａｌ  Ｒｅａｌｉｔｙ、仮想現実）ガラス等であってよい。周辺デバイスは、バッテリーも有しており、周辺デバイス内のバッテリーは、周辺デバイスに電力を供給し得る。
【００３９】
この出願の実施形態において、モバイル端末と、モバイル端末の周辺デバイスとは、両方ともバッテリーを含む。モバイル端末と、モバイル端末の周辺デバイスとが接続される場合、例えば、モバイル端末の第１のバッテリーは、周辺デバイスの第２のバッテリーを充電し得る。別の例の場合、周辺デバイスの第２のバッテリーは、モバイル端末の第１のバッテリーを充電し得る。また、モバイル端末が充電器に接続される場合、モバイル端末の第１のバッテリーと周辺デバイスの第２のバッテリーとの両方は、モバイル端末に接続された充電器を使用することによって充電され得る。もちろん、周辺デバイスが充電器に接続される場合、モバイル端末の第１のバッテリーと周辺デバイスの第２のバッテリーとの両方は、周辺デバイスに接続された充電器を使用することによって充電され得る。また、モバイル端末及び周辺デバイスは、これらそれぞれのバッテリーを充電するために充電器に接続されてもよい。
【００４０】
以下の実施形態において、タブレットコンピュータのバッテリー寿命に対してますます高まる要件をどのように満たすかを詳細に説明するために、モバイル端末がタブレットコンピュータであり、周辺デバイスがキーボードである例が使用され得る。別のモバイル端末と別の周辺デバイスとの組み合わせ、例えば、携帯電話とドッキングステーションとの組み合わせも、この出願の実施形態における適用シナリオに適用されてもよいことが理解されるべきである。
【００４１】
実装において、キーボードは無線キーボードであり、無線キーボードとタブレットコンピュータとは、互いに無関係な電源を使用することによって別々に電力供給される必要がある。無線キーボード又はタブレットコンピュータのいずれかが電力を使い果たした場合、電力を使い果たしたものは使用され続けることができない。別の先行技術実装において、キーボードは、タブレットコンピュータによって電力供給される。この実装においては、キーボードとタブレットコンピュータとが互いに接続される場合にのみ、キーボードは使用されることができ、キーボードとタブレットコンピュータとが分離される場合には、キーボードは使用されることができず、有用性を大いに損なう。しかし、この出願の実施形態によれば、モバイル端末及び周辺デバイスは、別々に電力供給され得るし、２つのデバイス（例えば、タブレットコンピュータ及びキーボード）は、ハードウェアコネクタを使用することによって接続された場合、互いを充電することができる。
【００４２】
具体的には、この出願の実施形態は、タブレットコンピュータＰＡＤとキーボードＫＢとの間の相互作用を使用することによって説明される。具体的には、図１に示されるように、この出願の適用シナリオは、次の通りであり得る：タブレットコンピュータＰＡＤとキーボードＫＢとの両方が内蔵電源（バッテリー）を有する場合、タブレットコンピュータＰＡＤ及びキーボードＫＢは別々に使用され得るし、タブレットコンピュータＰＡＤ及びキーボードＫＢが別々に使用される場合、タブレットコンピュータＰＡＤは、無線信号を使用することによってキーボードＫＢと通信し得る。また、図２に示されるように、タブレットコンピュータＰＡＤ及びキーボードＫＢは、代替的に、組み合わせて使用されてよい。タブレットコンピュータＰＡＤ及びキーボードＫＢが組み合わせて使用される場合、タブレットコンピュータＰＡＤは、ハードウェアコネクタ（ポゴピンコネクタ１１及び電極ディスク１２）を使用することによって、キーボードＫＢに電気的に接続され、キーボードＫＢと通信する。この出願において、タブレットコンピュータＰＡＤ及びキーボードＫＢは、ポゴピンコネクタを使用することによって電気的に接続され得る。タブレットコンピュータＰＡＤ上に配設されるコネクタが、ポゴピンコネクタである場合、キーボードＫＢ上に配設されるコネクタは、電極ディスクである。代替的に、キーボードＫＢ上に配設されるコネクタが、ポゴピンコネクタである場合、タブレットコンピュータＰＡＤ上に配設されるコネクタは、電極ディスクである。図１において提供される例において、キーボードＫＢ上に配設されるコネクタは、ポゴピンコネクタ１１であり、タブレットコンピュータＰＡＤ上に配設されるコネクタは、電極ディスク１２である。図２に示されるように、タブレットコンピュータＰＡＤ及びキーボードＫＢが位置関係において互いに取り付けられている場合、ポゴピンコネクタは、対応する電極ディスクに電気的に接続され、その結果、タブレットコンピュータＰＡＤはキーボードＫＢに接続される。図３に示されるように、この解決策において、ポゴピンは、プランジャａと、ばねｂと、管ｃとを含むばねシンブルであり、これらの３つの基本的な構成要素は、精密器具を使用することによってリベット締めされて予圧される。ポゴピンは、精密なバネ構造を内部に有する。ポゴピンは、良好な耐食性、安定性、及び耐久性を有する。ポゴピンコネクタＣｏ１が、対応する電極ディスクＣｏ２に電気的に接続されることは、ばねシンブルの頭部が電極プレートに対して押し付けられ、その結果、信号が、電極ディスク及びポゴピンコネクタによって形成された接続関係を使用することによって、タブレットコンピュータＰＡＤとキーボードＫＢとの間で送信されることができることを意味する。もちろん、信号は、電流信号、電圧信号、データ信号等に限定されない。
【００４３】
図４に示されるように、この出願の実施形態において提供されるモバイル端末１０は、第１のスイッチＳ１と、第２のスイッチＳ２と、第１の充電ポートＣｈ１と、第１の充電回路ＣＩ１と、第１のコネクタＣｏ１と、第１のバッテリーＢａ１と、第１の電子コントローラＥＣ１とを含む。
【００４４】
モバイル端末１０に含まれる前述の構造の接続関係は、下記の通りである：
【００４５】
第１のスイッチＳ１の第１の端子は、第１の充電ポートＣｈ１に接続され、第１のスイッチＳ１の第２の端子は、第１の充電回路ＣＩ１の第１の端部に接続される。第２のスイッチＳ２の第１の端子は、第１の充電回路ＣＩ１の第１の端部に接続され、第２のスイッチＳ２の第２の端子は、第１のコネクタＣｏ１に接続される。第１の充電回路ＣＩ１の第２の端部は、第１のバッテリーＢａ１に接続され、第１のバッテリーＢａ１の充電プロセスを制御するように構成される。第１のコネクタＣｏ１は、周辺デバイス２０に接続するように構成される。第１の電子コントローラＥＣ１は、第１のスイッチＳ１の制御端子Ｋｏ１及び第２のスイッチＳ２の制御端子Ｋｏ２に接続され、周辺デバイス２０と通信する。
【００４６】
図４に示されるように、この出願のこの実施形態において提供される周辺デバイス２０は、第３のスイッチＳ３と、第４のスイッチＳ４と、第２の充電ポートＣｈ２と、第２の充電回路ＣＩ２と、第３のコネクタＣｏ３と、第２のバッテリーＢａ２と、第２の電子コントローラＥＣ２とを含む。
【００４７】
周辺デバイス２０に含まれる前述の構造の接続関係は、下記の通りである：
【００４８】
第３のスイッチＳ３の第１の端子は、第２の充電ポートＣｈ２に接続され、第３のスイッチＳ３の第２の端子は、第２の充電回路ＣＩ２の第１の端部に接続される。第４のスイッチＳ４の第１の端子は、第２の充電回路ＣＩ２の第１の端部に接続され、第４のスイッチＳ４の第２の端子は、第３のコネクタＣｏ３に接続される。第２の充電回路ＣＩ２の第２の端部は、第２のバッテリーＢａ２に接続され、第２のバッテリーＢａ２の充電プロセスを制御するように構成される。第３のコネクタＣｏ３は、モバイル端末１０に接続するように構成される。第２の電子コントローラＥＣ２は、第３のスイッチＳ３の制御端子Ｋｏ３及び第４のスイッチＳ４の制御端子Ｋｏ４に接続され、モバイル端末１０と通信する。
【００４９】
機能的に、第１の電子コントローラＥＣ１は、第１のバッテリーＢａ１のバッテリーレベル、及び周辺デバイス２０の第２のバッテリーＢａ２のバッテリーレベルに基づいて、充電モードを決定し、充電モードに基づいて、第１のスイッチＳ１及び第２のスイッチＳ２の状態を制御し、制御情報を周辺デバイス２０に送って、周辺デバイス２０に充電モード通知するように構成される。第２の電子コントローラＥＣ２は、モバイル端末１０によって送られた制御情報に基づいて、充電モードを決定し、充電モードに基づいて、第３のスイッチＳ３及び第４のスイッチＳ４の状態を制御するように構成される。充電モードは、第１のバッテリーＢａ１が第２のバッテリーＢａ２を充電すること、又は第２のバッテリーＢａ２が第１のバッテリーＢａ１を充電することを含む。
【００５０】
図２に示される適用シナリオの場合、図４に示されるように、タブレットコンピュータＰＡＤの第１のコネクタＣｏ１は、キーボードＫＢの第３のコネクタＣｏ３に電気的に接続される。タブレットコンピュータＰＡＤの第２のスイッチＳ２の第２の端子は、キーボードＫＢの第４のスイッチＳ４の第２の端子に電気的に接続される。充電モードが、第１のバッテリーＢａ１が第２のバッテリーＢａ２を充電するものである場合、第１の電子コントローラＥＣ１は、充電モードに基づいて、タブレットコンピュータＰＡＤの第２のスイッチＳ２がオンになるように制御し、第２の電子コントローラＥＣ２は、充電モードに基づいて、キーボードＫＢの第４のスイッチＳ４がオンになるように制御する。同様に、充電モードが、第２のバッテリーＢａ２が第１のバッテリーＢａ１を充電するものである場合、第１の電子コントローラＥＣ１は、充電モードに基づいて、タブレットコンピュータＰＡＤの第２のスイッチＳ２がオンになるように制御し、第２の電子コントローラＥＣ２は、充電モードに基づいて、キーボードＫＢの第４のスイッチＳ４がオンになるように制御する。
【００５１】
タブレットコンピュータＰＡＤもキーボードＫＢも充電器を使用しない場合、タブレットコンピュータＰＡＤの第１の電子コントローラＥＣ１は、タブレットコンピュータＰＡＤの第１のスイッチＳ１がオフになるように制御し、キーボードＫＢの第１の電子コントローラＥＣ１は、キーボードＫＢの第３のスイッチＳ３がオフになるように制御する。このようにして、第１の充電ポートＣｈ１及び第２の充電ポートＣｈ２は、充電されることを防止することができる。
【００５２】
第１のバッテリーＢａ１が第２のバッテリーＢａ２を充電する経路は、次の通りである：第１のバッテリーＢａ１−＞第１の充電回路ＣＩ１−＞第２のスイッチＳ２−＞第４のスイッチＳ４−＞第２の充電回路ＣＩ２−＞第２のバッテリーＢａ２。この場合において、タブレットコンピュータＰＡＤの第１の充電回路ＣＩ１は、リバースブースト（ｂｏｏｓｔ）モードで作動し、キーボードＫＢの第２の充電回路ＣＩ２は、バック（ｂｕｃｋ）モードで作動する。第２のバッテリーＢａ２が第１のバッテリーＢａ１を充電する経路は、次の通りである：第２のバッテリーＢａ２−＞第２の充電回路ＣＩ２−＞第４のスイッチＳ４−＞第２のスイッチＳ２−＞第１の充電回路ＣＩ１−＞第１のバッテリーＢａ１。この場合において、キーボードＫＢの第２の充電回路ＣＩ２は、リバースブーストモードで作動し、タブレットコンピュータＰＡＤの第１の充電回路ＣＩ１は、ＢＵＣＫモードで作動する。
【００５３】
また、前述のスイッチに対する制御の実装のために、タブレットコンピュータＰＡＤの第１の電子コントローラＥＣ１は、第１の充電回路ＣＩ１を使用することによって第１のバッテリーＢａ１のバッテリーレベルを検出し得るし、もちろん、キーボードＫＢの第２の電子コントローラＥＣ２は、第２の充電回路ＣＩ２を使用することによって第２のバッテリーＢａ２のバッテリーレベルを検出し得る。また、第１の電子コントローラＥＣ１及び第２の電子コントローラＥＣ２は、互いに通信し得る。そのような通信は、無線通信又は有線通信であってよい。例えば、ＥＣ１及びＥＣ２は、少なくとも１つのコネクタを使用することによって互いに接続されてよく、又はブルートゥース、赤外線、若しくはＮＦＣ（Ｎｅａｒ  Ｆｉｅｌｄ  Ｃｏｍｍｕｎｉｃａｔｉｏｎ、近接場通信）接続が、ＥＣ１とＥＣ２との間で確立されてよい。第１の電子コントローラＥＣ１は、１次コントローラとして使用され、２次コントローラとして使用される第２の電子コントローラＥＣ２によって報告される情報を受信し得るし、第１の電子コントローラＥＣ１は、第２の電子コントローラＥＣ２に制御情報を送り得る。例えば、タブレットコンピュータＰＡＤ及びキーボードＫＢが互いに接続される場合、タブレットコンピュータＰＡＤのＥＣ１及びキーボードＫＢのＥＣ２は、ＵＳＢプロトコルを使用することによってデータ通信を実装し得る。例えば、コネクタの２つのペアは、タブレットコンピュータＰＡＤのＥＣ１とキーボードＫＢのＥＣ２との間に配設され、ＵＳＢ差動（Ｄ＋及びＤ−）信号のペアを送信するように別々に構成される。
【００５４】
第１の電子コントローラＥＣ１は、第１のバッテリーＢａ１のバッテリーレベルが比較的低く、第３の閾値未満であると決定する場合、充電モードは、第２のバッテリーＢａ２が第１のバッテリーＢａ１を充電するものでとあると決定するように特に構成される。第１の電子コントローラＥＣ１は、第２のバッテリーＢａ２のバッテリーレベルが比較的低く、第４の閾値未満であると決定する場合、充電モードは、第１のバッテリーＢａ１が第２のバッテリーＢａ２を充電するものであると決定するように特に構成される。充電期間中に、例えば、第１のバッテリーＢａ１が第２のバッテリーＢａ２を充電する場合、第１のバッテリーＢａ１のバッテリーレベルが第５の閾値未満であると第１の電子コントローラＥＣ１が決定したとき、第１の電子コントローラＥＣ１は、第２のスイッチＫ２がオフになるように制御し、充電終了制御命令をキーボードＫＢに送るように構成される。第２の電子コントローラＥＣ２は、タブレットコンピュータＰＡＤによって送られた充電終了制御命令を受信し、充電終了制御命令に従って、第４のスイッチＳ４がオフになるように制御するように構成される。第２のバッテリーＢａ２が第１のバッテリーＢａ１を充電する場合に、第２のバッテリーＢａ２のバッテリーレベルが第６の閾値未満であると第１の電子コントローラＥＣ１が決定したとき、第１の電子コントローラＥＣ１は、第２のスイッチＳ２がオフになるように制御し、電力供給終了制御命令をキーボードＫＢに送るように構成される。第２の電子コントローラＥＣ２は、タブレットコンピュータＰＡＤによって送られた電力供給終了制御命令を受信し、電力供給終了制御命令に従って、第４のスイッチＫ４がオフになるように制御するようにさらに構成される。
【００５５】
この解決策において、モバイル端末及び周辺デバイスは、別々に電力供給されてよく、コネクタを使用することによって接続された場合、モバイル端末及び周辺デバイスは、互いを充電してよく、それによって、モバイル端末が周辺デバイスと共に使用される場合、バッテリー寿命を延長する。これは製品機能を強化し、製品競争力を向上させる。
【００５６】
また、図５に示されるように、充電器が使用される場合、タブレットコンピュータＰＡＤは、第１の充電器インポジション検出回路５１をさらに含む。第１の充電器インポジション検出回路５１は、第１の充電ポートＣｈ１及び第１の電子コントローラＥＣ１に接続される。第１の充電器インポジション検出回路５１は、第１の充電ポートＣｈ１のサンプリング電圧を取得するように構成される。第１の電子コントローラＥＣ１は、サンプリング電圧に基づいて、第１の充電ポートＣｈ１が充電器に接続されているかどうかを決定するように構成される。例えば、サンプリング電圧と第１の電子コントローラＥＣ１の耐電圧とを一致させ、第１の電子コントローラＥＣ１が過度に高いサンプリング電圧によって損傷されることを防止するために、第１の充電器インポジション検出回路５１の特定の構造が提供される。
【００５７】
図６に示されるように、第１の充電器インポジション検出回路５１は、第８の抵抗器Ｒ８と、第９の抵抗器Ｒ９とを含む。第８の抵抗器Ｒ８の第１の端子は、第１の充電ポートＣｈ１に接続され、第８の抵抗器Ｒ９の第２の端子は、第９の抵抗器Ｒ８の第１の端子に接続される。第９の抵抗器Ｒ９の第２の端子は、接地端子ＧＮＤに接続され、第９の抵抗器Ｒ９の第１の端子は、第１の電子コントローラＣＥ１に接続される。第１の電子コントローラＣＥ１は、第９の抵抗器Ｒ９の第１の端子のサンプリング電圧を取得し、サンプリング電圧に基づいて、充電ポートが充電器に接続されているかどうかを決定するように構成される。例えば、充電器が第１の充電ポートＣｈ１に差し込まれていない場合、ＥＣ１は、Ｒ９の第１の端子の電圧レベルとＧＮＤのそれとの間で等しい電位を検出する。充電器が第１の充電ポートＣｈ１に差し込まれている場合、ＥＣ１は、Ｒ９の第１の端子の電圧レベルが、充電器によって提供される電源から抵抗器Ｒ９によって取得された、分割された電圧であることを検出し、これに基づいて、ＥＣ１は、充電器インポジション検出を実装することができる。
【００５８】
また、キーボードＫＢは、第２の充電器インポジション検出回路５２も有する。第２の充電器インポジション検出回路５２の特定構造及び接続手法は、タブレットコンピュータＰＡＤのそれらに類似しており、詳細はここでは再度説明されない。第２の電子コントローラＣＥ２は、キーボードＫＢの第２の充電器インポジション検出回路５２のサンプリング電圧に基づいて、キーボードＫＢが充電器に接続されているかどうかを決定してもよく、第１の電子コントローラＣＥ１に通知する。このようにして、第１の電子コントローラＣＥ１は、タブレットコンピュータＰＡＤ及びキーボードＫＢが各々充電器に接続されているかどうかを知ることができる。
【００５９】
第１の充電ポートＣｈ１が充電器に接続されている、及び／又はキーボードＫＢの第２の充電ポートＣｈ２が充電器に接続されていると第１の電子コントローラＥＣ１が決定した場合、第１の電子コントローラＥＣ１は、充電モードを再決定するようにさらに構成される。充電モードは、第１の充電ポートＣｈ１に接続された充電器が第１のバッテリーＢａ１及び第２のバッテリーＢａ２を充電すること、第２の充電ポートＣｈ２に接続された充電器が第１のバッテリーＢａ１及び第２のバッテリーＢａ２を充電すること、又は第１の充電ポートＣｈ１に接続された充電器が第１のバッテリーＢａ１を充電し、第２の充電ポートＣｈ２に接続された充電器が第２のバッテリーＢａ２を充電することをさらに含む。
【００６０】
充電モードが、第１の充電ポートＣｈ１に接続された充電器が第１のバッテリーＢａ１及び第２のバッテリーＢａ２を充電するものである場合、第１の電子コントローラＥＣ１は、充電モードに基づいて、第１のスイッチＳ１及び第２のスイッチＳ２がオンになるように制御し、第２の電子コントローラＥＣ２は、充電モードに基づいて、第４のスイッチＳ４がオンになり、第３のスイッチＳ３がオフになるように制御する。充電モードが、第２の充電ポートＣｈ１に接続された充電器が第１のバッテリーＢａ１及び第２のバッテリーＢａ２を充電するものである場合、第１の電子コントローラＥＣ１は、充電モードに基づいて、第１のスイッチＳ１がオフになり、第２のスイッチＳ２がオンになるように制御し、第２の電子コントローラＥＣ２は、充電モードに基づいて、第３のスイッチＳ３及び第４のスイッチＳ４がオンになるように制御する。
【００６１】
また、第１の充電ポートＣｈ１は、ＵＳＢ（Ｕｎｉｖｅｒｓａｌ  Ｓｅｒｉａｌ  Ｂｕｓ、ユニバーサルシリアルバス）ポート、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ、高解像度マルチメディアインターフェース）ポート、及びＵＲＡＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ、汎用非同期受信器／送信器）ポートなどの拡張ポートを含み得るが、これらに限定されない。下記の解決策は、ＵＳＢポートを例として使用することによって説明される。第２の充電ポートＣｈ２は、ＵＳＢポート、ＨＤＭＩポート、及びＵＲＡＴポートなどの拡張ポートを含み得るが、これらに限定されない。以下の解決策は、ＵＳＢポートを例として使用することによって説明される。
【００６２】
充電器が充電のために使用されることは、下記の２つの解決策を特に含み得る。
【００６３】
解決策１：充電器は、タブレットコンピュータのＵＳＢポートに差し込まれる。タブレットコンピュータＰＡＤのＥＣ１は、タブレットコンピュータＰＡＤの第１のスイッチＳ１及び第２のスイッチＳ２がオンになるように制御し、キーボードＫＢのＥＣ２は、キーボードＫＢの第４のスイッチＳ４がオンになるように制御し、キーボードＫＢのＥＣ２は、キーボードＫＢの第３のスイッチＳ３がオフになるように制御する。
【００６４】
充電経路１は、次の通りである：充電器−＞タブレットコンピュータＰＡＤのＵＳＢポート−＞タブレットコンピュータＰＡＤの第１のスイッチＳ１−＞タブレットコンピュータＰＡＤの第１の充電回路ＣＩ１−＞タブレットコンピュータＰＡＤの第１のバッテリーＢａ１。
【００６５】
充電経路２は、次の通りである：充電器−＞タブレットコンピュータＰＡＤのＵＳＢポート−＞タブレットコンピュータＰＡＤの第１のスイッチＳ１−＞タブレットコンピュータＰＡＤの第２のスイッチＳ２−＞キーボードＫＢの第４のスイッチＳ４−＞キーボードＫＢの第２の充電回路Ｃｈ２−＞キーボードＫＢの第２のバッテリーＢａ２。
【００６６】
解決策２：充電器は、キーボードのＵＳＢポートに差し込まれる。タブレットコンピュータＰＡＤのＥＣ１は、タブレットコンピュータＰＡＤの第２のスイッチＳ２がオンになるように制御し、タブレットコンピュータＰＡＤのＥＣ１は、タブレットコンピュータＰＡＤの第１のスイッチＳ１がオフになるように制御し、キーボードＫＢのＥＣ２は、キーボードＫＢの第３のスイッチＳ３及び第４のスイッチＳ４がオンになるように制御する。
【００６７】
充電経路１は、次の通りである：充電器−＞キーボードＫＢのＵＳＢポート−＞キーボードＫＢの第３のスイッチＳ３−＞キーボードＫＢの第２の充電回路Ｃｈ２−＞キーボードＫＢの第２のバッテリーＢａ２。
【００６８】
充電経路２は、次の通りである：充電器−＞キーボードＫＢのＵＳＢポート−＞キーボードＫＢの第３のスイッチＳ３−＞キーボードＫＢの第４のスイッチＳ４−＞タブレットコンピュータＰＡＤの第２のスイッチＳ２−＞タブレットコンピュータＰＡＤの第１の充電回路Ｃｈ１−＞タブレットコンピュータＰＡＤの第１のバッテリーＢａ１。
【００６９】
充電器がタブレットコンピュータのＵＳＢポートに差し込まれ、充電器がキーボードのＵＳＢポートに差し込まれる場合、タブレットコンピュータＰＡＤのＥＣ１は、代替的に、タブレットコンピュータＰＡＤの第２のスイッチＳ２がオフになり、第１のスイッチＳ１がオンになるように制御してよく、キーボードＫＢのＥＣ２は、キーボードＫＢの第４のスイッチＳ４がオフになり、第３のスイッチＳ３がオンになるように制御し、その結果、タブレットコンピュータＰＡＤ及びキーボードＫＢは、別々に充電される。もちろん、充電器がタブレットコンピュータのＵＳＢポートに差し込まれ、充電器がキーボードのＵＳＢポートに差し込まれたとしても、充電は、１つの充電器のみを使用することによって解決策１又は解決策２において提供されたモードに従って実装されてよい。このようにして、前述の５つの充電モードは、第１のコネクタと第３のコネクタとの間の接続のみを使用することによって、タブレットコンピュータＰＡＤとキーボードＫＢとの間で実装されることができ、それによって、デバイス間の相互充電の信頼性を改善し、デバイス間の接続構造を単純化する。
【００７０】
また、図５に示されるように、タブレットコンピュータＰＡＤは、第１の不感帯域制御回路５３と、第１の低ドロップアウト線形電圧調整器ＬＤＯ１とをさらに含む。
【００７１】
第１の不感帯域制御回路５３の第１の入力端部は、第１の充電ポートＣｈ１に接続され、第１の不感帯域制御回路５３の出力端部は、第１の電子コントローラＣＥ１に接続される。第１の低ドロップアウト線形電圧調整器ＬＤＯ１の入力端部は、第１の充電回路ＣＩ１の第３の端部に接続され、第１の低ドロップアウト線形電圧調整器ＬＤＯ１の出力端部は、第１の不感帯域制御回路５３の第２の入力端部に接続される。第１のバッテリーＢａ１のバッテリーレベルが第１の閾値以下であり、第１の充電ポートＣｈ１が充電器に接続される場合、第１の充電ポートＣｈ１に接続された充電器は、第１の不感帯域制御回路５３を使用することによって第１の電子コントローラＣＥ１に電力を供給する。第１のバッテリーＢａ１のバッテリーレベルが第１の閾値より大きい場合、第１のバッテリーＢａ１は、第１の充電回路ＣＩを使用することによって、第１の低ドロップアウト線形電圧調整器ＬＤＯ１に電力を供給し、第１の低ドロップアウト線形電圧調整器ＬＤＯ１は、第１の不感帯域制御回路５３を使用することによって、第１の電子コントローラＣＥ１に電力を供給する。
【００７２】
同様に、図５に示されるように、キーボードＫＢは、第２の不感帯域制御回路５４と、第２の低ドロップアウト線形電圧調整器ＬＤＯ２とをさらに含む。第２の不感帯域制御回路５４の第１の入力端部は、第２の充電ポートＣｈ２に接続され、第２の不感帯域制御回路５４の出力端部は、第２の電子コントローラＥＣ２に接続される。第２の低ドロップアウト線形電圧調整器ＬＤＯ２の入力端部は、第２の充電回路ＣＩ２の第３の端部に接続され、第２の低ドロップアウト線形電圧調整器ＬＤＯ２の出力端部は、第２の不感帯域制御回路５４の第２の入力端部に接続される。第２のバッテリーＢａ２のバッテリーレベルが第２の閾値以下であり、第２の充電ポートＣｈ２が充電器に接続される場合、第２の充電ポートＣｈ２に接続された充電器は、第２の不感帯域制御回路５４を使用することによって、第２の電子コントローラＣＥ２に電力を供給する。第２のバッテリーＢａ２のバッテリーレベルが第２の閾値より大きい場合、第２のバッテリーＢａ２は、第２の充電回路ＣＩ２を使用することによって、第２の低ドロップアウト線形電圧調整器ＬＤＯ２に電力を供給し、第２の低ドロップアウト線形電圧調整器ＬＤＯ２は、第２の不感帯域制御回路５４を使用することによって、第２の電子コントローラＥＣ２に電力を供給する。
【００７３】
図７に示されるように、第１の不感帯域制御回路５３は、バックコンバータＢＵＣＫ回路５３１と、第１の抵抗器Ｒ１と、第２の抵抗器Ｒ２と、第３の抵抗器Ｒ３と、第４の抵抗器Ｒ４と、第５の抵抗器Ｒ５と、第６の抵抗器Ｒ６と、第７の抵抗器Ｒ７と、第１のトランジスタＱ１と、第２のトランジスタＱ２と、第１のＭＯＳトランジスタＭ１と、第２のＭＯＳトランジスタＭ２とを含む。ＢＵＣＫ回路の入力端部は、第１の不感帯域制御回路の第１の入力端部に接続される。第１の抵抗器の第１の端子は、第１の不感帯域制御回路の第１の入力端部に接続される。第１の抵抗器の第２の端子は、ＢＵＣＫ回路のイネーブルＥＮ端部に接続される。第１の抵抗器の第２の端子は、第２の抵抗器を使用することによって接地端子にさらに接続される。ＢＵＣＫ回路のＥＮ端部は、第１のトランジスタのコレクタにさらに接続される。第１のトランジスタのエミッタは、接地端子に接続される。第１のトランジスタのベースは、第３の抵抗器の第１の端子に接続される。第３の抵抗器の第２の端子は、第１の不感帯域制御回路の第２の入力端部に接続される。第３の抵抗器の第２の端子は、第４の抵抗器の第１の端子にさらに接続される。ＢＵＣＫ回路の出力端部は、第１のＭＯＳトランジスタのドレインに接続される。第１のＭＯＳトランジスタのソースは、第２のＭＯＳトランジスタのソースに接続される。第１のＭＯＳトランジスタのゲートは、第５の抵抗器を使用することによって接地端子に接続される。第４の抵抗器の第２の端子は、第１のＭＯＳトランジスタのゲートにさらに接続される。第２のＭＯＳトランジスタのソースは、第６の抵抗器を使用することによって第２のＭＯＳトランジスタのゲートに接続される。第２のＭＯＳトランジスタのソースは、第１の不感帯域制御回路の出力端部に接続される。第２のＭＯＳトランジスタのゲートは、第２のトランジスタのコレクタにさらに接続される。第２のＭＯＳトランジスタのドレインは、第１の不感帯域制御回路の第２の入力端部に接続される。第２のトランジスタのベースは、第７の抵抗器を使用することによって、第１の不感帯域制御回路の第２の入力端部に接続される。
【００７４】
キーボードＫＢの第２の不感帯域制御回路５４の構造は、図に示されるように、タブレットコンピュータＰＡＤの第１の不感帯域制御回路５３の構造と同じであり、詳細は再度説明されない。
【００７５】
また、図７に示されるように、タブレットコンピュータＰＡＤは、第１のショットキーダイオードＳＣＫ１と、第２のショットキーダイオードＳＣＫ２とをさらに含む。第１のショットキーダイオードＳＣＫ１のアノードは、第１の充電ポートＣｈ１に接続され、第１のショットキーダイオードＳＣＫ１のカソードは、第２のショットキーダイオードＳＣＫ２のカソードに接続される。第２のショットキーダイオードＳＣＫ２のアノードは、第２のスイッチＳ２の第２の端子に接続される。第１のショットキーダイオードＳＣＫ１のカソードは、第１の不感帯域制御回路５３の第１の入力端部にさらに接続される。
【００７６】
第１の不感帯域制御回路５３の作動原理は、次の通りである。露出された第１の充電ポートＣｈ１が充電されないことを実装するために、第１のスイッチＳ１は、デフォルトでオフ状態にある。第１のバッテリーが消耗され（第１のバッテリーのバッテリーレベルが第１の閾値未満であり）、充電器が第１の充電ポートＣｈ１に差し込まれる場合、電気エネルギーは、バッテリーへ移転させることができない。これは、第１のスイッチＳ１がＥＣ１によってオフ状態とオン状態との間で切り換えられるように制御される必要があるからである。この場合において、消耗された第１のバッテリーＢａ１は通常、ＥＣ１に電力を供給することができず、従って、システムは起動されることができず、第１のスイッチＳ１の状態は変化させることができない。この出願のこの実施形態においては、第１の不感帯域制御回路５３が使用される。図４に示されるように、充電器が第１の充電ポートＣｈ１に差し込まれる場合、第１の不感帯域制御回路５３は、直ちに起動されてＥＣ１に電力を供給し、ＥＣ１は、第１のスイッチＳ１をオンにし、充電器は、第１の充電回路ＣＩ１を使用することによって第１のバッテリーＢａ１を充電する。このようにして、第１のバッテリーＢａ１のバッテリーレベルが回復される。キーボードＫＢの第２の不感帯域制御回路５３の作動原理は、上述した作動原理と同様であり、詳細はここでは再び説明されない。
【００７７】
図に示される特定の回路構造を参照しつつ、下記は、タブレットコンピュータＰＡＤの第１の不感帯域制御回路５３の機能を説明するための例として、タブレットコンピュータＰＡＤの第１の不感帯域制御回路５３を使用する。
【００７８】
実際の場合においては問題が存在する。具体的には、Ｓ１がオフであり、第１のバッテリーＢａ１のバッテリーレベルが第１の閾値未満である場合、充電器が第１の充電ポートＣｈ１に差し込まれたとしても、第１のバッテリーＢａ１は充電されることができず、システムは起動されることができない。第１の不感帯域制御回路５３の使用は、ＥＣ１に電力を供給してＳ１をオンにするためであり、その結果、充電器は、第１のバッテリーＢａ１に電力を供給することができる。実装処理は、以下の通りである。
【００７９】
第１のバッテリーＢａ１のバッテリーレベルが過度に低い（第１の閾値未満である）場合、ＬＤＯ１の出力３．３Ｖｓｙｓ１は０Ｖであり、Ｑ１はオフにされる。充電器が第１の充電ポートＣｈ１に差し込まれた後、ＥＮ端部は、高い電圧レベルにあり（ＢＵＣＫ回路は、ＥＮ端部が高い電圧レベルにある場合、イネーブルにされ、又はＥＮ端部が低い電圧レベルにある場合、ディスエーブルにされる）、ＢＵＣＫ回路５３１はＥＮによってイネーブルにされ、電流が第１のショットキーダイオードＳＣＫ１へ流れて、ＢＵＣＫ回路５３１に電力を供給する。Ｍ１はオンにされ、Ｍ２はオフにされ、電流はＭ１を通ってＥＣ１へ流れる。電源がオンにされた後に、ＥＣ１は、前述の充電モードに従ってＳ１をオンにする。充電器は、第１の充電回路ＣＩ１を使用することによって第１のバッテリーＢａ１を充電し、ＬＤＯ１にも電力を供給する。その結果、ＬＤＯ１の出力３．３Ｖｓｙｓ１は３．３Ｖである。Ｑ１がオンにされ、その結果、ＥＮ端部は接地端子ＧＮＤに接続され、ＢＵＣＫ回路５３１及びＭ１がオフにされる。この場合において、Ｑ２のベースは、電気的にオンにされ、その結果、Ｍ２のゲートは、接地端子ＧＮＤに接続される。Ｍ２がオンにされ、出力電圧３．３Ｖｓｙｓ１を有するＬＤＯ１は、Ｍ２を介してＥＣ１に電力を供給する。結論として、タブレットコンピュータＰＡＤのための不感地帯制御が実装される。キーボードＫＢのための不感地帯制御は同じであり、詳細は再度説明されない。Ｍ１及びＭ２は、ＰＭＯＳトランジスタである。ＧＳ（Ｇａｔｅ／Ｓｏｕｒｃｅ、ゲート／ソース）端子間の電圧差が負の値である場合、ＰＭＯＳトランジスタがオンにされる。ＧＳ端子の間の電圧差が０である場合、ＰＭＯＳトランジスタがオフにされる。ＧＳ電圧寄生ダイオードは、電流逆流を防止する役割を果たす。
【００８０】
また、タブレットコンピュータＰＡＤがキーボードＫＢに接続される場合、不正確なアラインメント又は誤った位置決めが存在し得る。この場合において、タブレットコンピュータＰＡＤは、キーボードＫＢと通信することができない。図５に示されるように、この出願のこの実施形態において提供される解決策では、タブレットコンピュータＰＡＤは、第１のピアデバイスインポジション検出回路５５をさらに含む。第１のピアデバイスインポジション検出回路５５は、第１の電子コントローラＥＣ１及び第２のコネクタＣｏ２に接続される。第２のコネクタＣｏ２は、キーボードＫＢの接地端子に接続するように構成される。ここでは、キーボードＫＢの接地端子は、第４のコネクタＣｏ４に接続される。第２のコネクタＣｏ２が第４のコネクタＣｏ４に接続される場合、第２のコネクタＣｏ２は、キーボードＫＢの接地端子に接続される。この場合において、第１の電子コントローラＥＣ１は、第２のコネクタＣｏ２の電圧レベルに基づいて、キーボードＫＢが適所にあると決定する。
【００８１】
図６に示されるように、第１のピアデバイスインポジション検出回路５５は、第１０の抵抗器Ｒ１０と、第１１の抵抗器Ｒ１１とを含む。第１０の抵抗器Ｒ１０の第１の端子は、所定の電圧値を有する電源ＶＣＣに接続され、第１０の抵抗器Ｒ１０の第２の端子は、第１１の抵抗器Ｒ１１の第１の端子に接続される。第１１の抵抗器Ｒ１１の第２の端子は、接地端子ＧＮＤに接続される。第１０の抵抗器Ｒ１０の第２の端子は、第１の電子コントローラＥＣ１及び第２のコネクタＣｏ２にさらに接続される。
【００８２】
このようにして、通常の場合において、タブレットコンピュータＰＡＤがキーボードＫＢに接続されない場合、Ｒ１０及びＲ１１は、電源の電圧を分割し、ＥＣ１は、第１０の抵抗器Ｒ１０の第２の端子において所定の電圧値を検出することができる。しかし、タブレットコンピュータＰＡＤがキーボードＫＢに接続される場合、第１０の抵抗器Ｒ１０の第２の端子は、コネクタを使用することによってキーボードＫＢの接地端子ＧＮＤに接続され、ＥＣ１は、第１０の抵抗器Ｒ１０の第２の端子における電位が０であることを検出することができる。このようにして、ＥＣ１は、タブレットコンピュータＰＡＤ上で、接続が成功したことをユーザにさらに通知し得る。同じ原理に従って、キーボードＫＢは、第２のピアデバイスインポジション検出回路５６も含む。第２のピアデバイスインポジション検出回路５６の機能は、タブレットコンピュータＰＡＤの第１のピアデバイスインポジション検出回路５５の機能と同じであり、詳細は再度説明されない。具体的には、ＰＡＤがＫＢに接続される場合、ＰＡＤのＥＣ１は、ＰＡＤの表示インターフェース上で、ＰＡＤがＫＢに正常に接続されたことを示すためのプロンプトをユーザに対してプッシュ通知してよく、ＫＢのＥＣ２は、ＫＢの対応するインジケータをオンにして、ＫＢがＰＡＤに正常に接続されたことをユーザに通知してもよい。
【００８３】
また、第１の充電ポートＣｈ１がＵＳＢポートである場合、第１の充電ポートＣｈ１は識別ＩＤピンをさらに含む。ＩＤピンは、ＥＣ１に接続される。ＯＴＧ送信コネクタが第１の充電ポートＣｈ１に差し込まれる場合、ＥＣ１は、ＩＤピンの電圧レベルに基づいて、ＯＴＧ送信コネクタが第１の充電ポートＣｈ１に差し込まれていると決定する。また、ＯＴＧ送信コネクタが第１の充電ポートＣｈ１に差し込まれる場合、ＥＣ１は、Ｓ１がオフになるように制御して、タブレットコンピュータＰＡＤの充電器の電圧との不一致を防止する。
【００８４】
前述のスイッチ（Ｓ１、Ｓ２、Ｓ３及びＳ４）の各々の構造は、図８に示される。構造は、第３のＭＯＳトランジスタＭ３と、第４のＭＯＳトランジスタＭ４と、第１２の抵抗器Ｒ１２と、第１３の抵抗器Ｒ１３と、第３のトランジスタＱ３とを含む。
【００８５】
第３のＭＯＳトランジスタＭ３のドレインは、スイッチの第１の端子に接続される。第３のＭＯＳトランジスタＭ３のソースは、第４のＭＯＳトランジスタＭ４のソースに接続される。第４のＭＯＳトランジスタＭ４のドレインは、スイッチの第２の端子に接続される。
【００８６】
第３のＭＯＳトランジスタＭ３のソースは、第１２の抵抗器Ｒ１２の第１の端子にさらに接続される。第１２の抵抗器Ｒ１２の第２の端子は、第３のＭＯＳトランジスタＭ３のゲート、第４のＭＯＳトランジスタＭ４のゲート、及び第１３の抵抗器Ｒ１３の第１の端子に接続される。第１３の抵抗器Ｒ１３の第２の端子は、第３のトランジスタＱ３のコレクタに接続される。第３のトランジスタＱ３のベースは、スイッチの制御端子に接続される。第３のトランジスタＱ３のエミッタは、接地端子ＧＮＤに接続される。前述のスイッチは全て、電流逆流を防止するためにＢＴＢ（ｂａｃｋ−ｔｏ−ｂａｃｋ）構造を有する。
【００８７】
また、タブレットコンピュータＰＡＤは、第１の電流制限回路５７をさらに含む。図１０に示されるように、第１の充電回路ＣＩ１の電流制限ピンは、電流制限回路の入力端部に接続される。第１の電流制限回路５７の制御端部は、ＥＣ１に接続される。ＥＣ１は、第１のバッテリーＢａ１のバッテリーレベル及び第２のバッテリーＢａ２のバッテリーレベルに基づいて、第１のバッテリーＢａ１の充電電力及び第２のバッテリーＢａ２の充電電力を決定する。第１の電子コントローラＥＣ１は、第１のバッテリーＢａ１の充電電力に基づいて、第１の電流制限回路５７を使用することによって第１の充電回路ＣＩ１の電流制限ピンの電流を制御し、第２のバッテリーＢａ２の充電電力をキーボードＫＢに送る。第１のバッテリーＢａ１を充電するために第１の充電回路ＣＩ１によって使用される充電電力は、電流制限ピンの電流に対応する。第１の電流制限回路５７は、第１４の抵抗器Ｒ１４と、第１５の抵抗器Ｒ１５と、第１６の抵抗器Ｒ１６と、第４のトランジスタＱ４とを含む。第１４の抵抗器Ｒ１４の第１の端子は、充電回路１２の電流制限ピンに接続され、第１４の抵抗器Ｒ１４の第２の端子は、第４のトランジスタＱ４のコレクタに接続される。第１５の抵抗器Ｒ１５の第１の端子は、充電回路１２の電流制限ピンに接続され、第１５の抵抗器Ｒ１５の第２の端子は、接地端子ＧＮＤに接続される。第４のトランジスタＱ４のゲートは、第１６の抵抗器Ｒ１６を使用することによって、第１の電流制限回路５７の制御端部に接続され、第４のトランジスタＱ４のエミッタは、接地端子ＧＮＤに接続される。キーボードＫＢは、第２の電流制限回路をさらに含む。第２の充電回路ＣＩ２の電流制限ピンは、電流制限回路の入力端部に接続される。第２の電流制限回路の制御端部は、ＥＣ２に接続される。ＥＣ２は、ＥＣ１によって送られた第２のバッテリーＢａ２の充電電力に基づいて、第２の電流制限回路を使用することによって第２の充電回路ＣＩ２の電流制限ピンの電流を制御する。第２のバッテリーＢａ２を充電するために第２の充電回路ＣＩ２によって使用される充電電力は、電流制限ピンの電流に対応する。キーボードＫＢの第２の電流制限回路の特定の構造は、タブレットコンピュータＰＡＤの第１の電流制限回路５７の構造と同じであり、詳細はここでは再度説明されない。
【００８８】
第１の充電回路及び／又は第２の充電回路は、ＢＱ２４ｘ９ｘ直列充電器（ｃｈａｒｇｅｒ）チップ（充電器チップの周辺回路の添付図面は図示せず）を使用し得る。充電器チップは、電流制限ピンＩＬＩＭ（図９に示される）を含む。充電電流は、ＩＬＩＭに接続された抵抗器に対する制御を通じて調整され、その結果、充電回路は、特定された電流を出力し、それによって、動的な電力分配を実装する。例えば、充電器がキーボードＫＢに差し込まれ、Ｒ１４＝３５４Ω、Ｒ１５＝１．０５ｋΩ、及びＲ１６＝１ｋΩであると仮定する。
【００８９】
（１）充電器の総電力は１０Ｗである。タブレットコンピュータＰＡＤの第１のバッテリーのバッテリーレベルが比較的低く、キーボードＫＢの充電器がタブレットコンピュータＰＡＤの第１のバッテリーを充電する場合、Ｑ４トランジスタはオフにされる。この場合において、ＩＬＩＭに接続された抵抗器Ｒは１．０５Ｋである。特定された充電電流が５００ｍＡになるように設定され、電圧が５Ｖである場合、電力は２．５Ｗである。換言すれば、タブレットコンピュータの第１のバッテリーを充電するために、７．５Ｗが割り当てられる。（２）キーボードＫＢがタブレットコンピュータＰＡＤを充電しない場合、Ｑ４トランジスタはオンにされる。この場合において、Ｒ＝２６５Ωである。特定された電流が２Ａである場合、キーボードＫＢは、１０Ｗの全電力を使用して、キーボードの第２のバッテリーを充電する。同様に、充電器がタブレットコンピュータＰＡＤに差し込まれる場合、上述した原理と同様の原理に従って、７．５Ｗの電力が、タブレットコンピュータＰＡＤを充電するために割り当てられ得るし、２．５Ｗの電力が、キーボードＫＢを充電するために割り当てられ得る。
【００９０】
また、実施形態において、タブレットコンピュータＰＡＤは、第１のディスプレイモジュール５８をさらに含む。第１のバッテリーが充電状態にあると決定する場合、第１の電子コントローラＥＣ１は、第１のディスプレイモジュール５８を制御して、タブレットコンピュータＰＡＤが充電状態にあることを示すアイコンを表示する。第１のバッテリーが電力供給状態にあると決定する場合、第１の電子コントローラＥＣ１は、第１のディスプレイモジュール５８を制御して、ＰＡＤが電力供給状態にあることを示すアイコンを表示する。第２のバッテリーが充電状態にあると決定する場合、第１の電子コントローラＥＣ１は、第１のディスプレイモジュール５８を制御して、キーボードＫＢが充電状態にあることを示すアイコンを表示する。第２のバッテリーが電力供給状態にあると決定する場合、第１の電子コントローラＥＣ１は、第１のディスプレイモジュール５８を制御して、キーボードＫＢが電力供給状態にあることを示すアイコンを表示する。図１１から図１３に示されるように、前述の充電モードに基づいて、タブレットコンピュータＰＡＤは、第１のディスプレイモジュール５８（例えば、画面）を使用して、タブレットコンピュータＰＡＤ及びキーボードＫＢの充電状態を示すアイコンを表示する。
【００９１】
図１１に示されるように、第２のバッテリーが第１のバッテリーを充電する場合、タブレットコンピュータＰＡＤは、画面のステータスバー上に、タブレットコンピュータＰＡＤが充電状態にあることを示すアイコンＢ１と、キーボードＫＢが電力供給状態にあることを示すアイコンＢ２とを表示し得る。Ｂ１及びＢ２は、タブレットコンピュータＰＡＤとキーボードＫＢとを区別するために異なって表示され得る。
【００９２】
図１２に示されるように、第１のバッテリーが第２のバッテリーを充電する場合、タブレットコンピュータＰＡＤは、画面のステータスバー上に、タブレットコンピュータＰＡＤが電力供給状態にあることを示すアイコンＢ１１と、キーボードＫＢが充電状態にあることを示すアイコンＢ２２とを表示し得る。Ｂ１１及びＢ２２は、タブレットコンピュータＰＡＤとキーボードＫＢとを区別するために異なって表示され得る。
【００９３】
図１３に示されるように、第１の充電ポートに接続された充電器が、第１のバッテリー及び第２のバッテリーを充電する場合、タブレットコンピュータＰＡＤは、画面のステータスバー上に、タブレットコンピュータＰＡＤが充電状態にあることを示すアイコンＢ１と、キーボードＫＢが充電状態にあることを示すアイコンＢ２２とを表示し得る。Ｂ１及びＢ２２は、タブレットコンピュータＰＡＤとキーボードＫＢとを区別するために異なって表示され得る。図１３に示されるように、第１の充電ポートに接続された充電器が、第１のバッテリー及び第２のバッテリーを充電する場合、タブレットコンピュータＰＡＤは、画面のステータスバー上に、タブレットコンピュータＰＡＤが充電状態にあることを示すアイコンＢ１と、キーボードＫＢが充電状態にあることを示すアイコンＢ２２とを表示し得る。Ｂ１及びＢ２２は、タブレットコンピュータＰＡＤとキーボードＫＢとを区別するために異なって表示され得る。図１３に示されるように、第１の充電ポートに接続された充電器が第１のバッテリーを充電し、第２の充電ポートに接続された充電器が第２のバッテリーを充電する場合、タブレットコンピュータＰＡＤは、画面のステータスバー上に、タブレットコンピュータＰＡＤが充電状態にあることを示すアイコンＢ１と、キーボードＫＢが充電状態にあることを示すアイコンＢ２２とを表示し得る。Ｂ１及びＢ２２は、タブレットコンピュータＰＡＤとキーボードＫＢとを区別するために異なって表示され得る。
【００９４】
また、実施形態において、キーボードＫＢは、第２のディスプレイモジュール５９をさらに含む。第１のバッテリーが充電状態にあると決定する場合、第２の電子コントローラＥＣ２は、第２のディスプレイモジュール５９を制御して、タブレットコンピュータＰＡＤが充電状態にあることを示すアイコンを表示する。第１のバッテリーが電力供給状態にあると決定する場合、第２の電子コントローラＥＣ２は、第２のディスプレイモジュール５９を制御して、タブレットコンピュータＰＡＤが電力供給状態にあることを示すアイコンを表示する。第２のバッテリーが充電状態にあると決定する場合、第２の電子コントローラＥＣ２は、第２のディスプレイモジュール５９を制御して、キーボードＫＢが充電状態にあることを示すアイコンを表示する。第２のバッテリーが電力供給状態にあると決定する場合、第２の電子コントローラＥＣ２は、第２のディスプレイモジュール５９を制御して、キーボードＫＢが電力供給状態にあることを示すアイコンを表示する。もちろん、キーボードＫＢなどの周辺デバイスは、通常、比較的低コストの製品である。キーボードＫＢが、画像を表示するように構成された画面を含む場合、キーボードＫＢは、画面を使用して、タブレットコンピュータＰＡＤが行うような手法で、タブレットコンピュータＰＡＤ及びキーボードＫＢの電力供給状態／充電状態を表示し得る。キーボードＫＢが、画像を表示するように構成された画面を含まない場合、キーボードＫＢは、異なる色のインジケータ、又はキーボード上の異なる位置におけるインジケータを使用して、タブレットコンピュータＰＡＤ及びキーボードＫＢの電力供給状態／充電状態を示し得る。
【００９５】
上記に提供されたモバイル端末及び周辺デバイスに基づいて、この出願の実施形態は、下記のステップを含む充電制御方法を提供する。
【００９６】
１０１：モバイル端末は、モバイル端末の第１のバッテリーのバッテリーレベル、及び周辺デバイスの第２のバッテリーのバッテリーレベルに基づいて、充電モードを決定する。
【００９７】
ステップ１０１は、具体的には下記を含む：モバイル端末の第１のバッテリーのバッテリーレベルが比較的低く、第３の閾値未満であると決定する場合、モバイル端末は、充電モードが、第２のバッテリーが第１のバッテリーを充電するものであると決定し、又は、周辺デバイスの第２のバッテリーのバッテリーレベルが比較的低く、第４の閾値未満であると決定する場合、モバイル端末は、充電モードが、第１のバッテリーが第２のバッテリーを充電するというものであると決定する。充電モードは、第１のバッテリーが周辺デバイスの第２のバッテリーを充電すること、又は第２のバッテリーが第１のバッテリーを充電することを含む。
【００９８】
第１のバッテリーが第２のバッテリーを充電する場合に、第１のバッテリーのバッテリーレベルが第５の閾値未満であるとモバイル端末が決定したとき、モバイル端末は、第２のスイッチがオフになるように制御し、充電終了制御命令を周辺デバイスに送る。周辺デバイスは、モバイル端末によって送られた充電終了制御命令を受信し、充電終了制御命令に従って、第４のスイッチがオフになるように制御する。
【００９９】
第２のバッテリーが第１のバッテリーを充電する場合に、第２のバッテリーのバッテリーレベルが第６の閾値未満であるとモバイル端末が決定したとき、モバイル端末は、第２のスイッチがオフになるように制御し、電力供給終了制御命令を周辺デバイスに送る。周辺デバイスは、モバイル端末によって送られた電力供給終了制御命令を受信し、電力供給終了制御命令に従って、第４のスイッチがオフになるように制御する。
【０１００】
モバイル端末の第１の充電ポートが充電器に接続される場合、及び／又は周辺デバイスの充電ポートが充電器に接続される場合、充電モードを決定する方法について、下記がさらに含まれる：モバイル端末は、モバイル端末の第１の充電ポートのサンプリング電圧に基づいて、第１の充電ポートが充電器に接続されているかどうかを決定し、モバイル端末の第１の充電ポートが充電器に接続されている、及び／又は周辺デバイスの第２の充電ポートが充電器に接続されていると決定した場合、モバイル端末は、充電モードを再決定する。充電モードは、第１の充電ポートに接続された充電器が、第１のバッテリー及び第２のバッテリーを充電すること、周辺デバイスの第２の充電ポートに接続された充電器が、第１のバッテリー及び第２のバッテリーを充電すること、又は第１の充電ポートに接続された充電器が第１のバッテリーを充電し、第２の充電ポートに接続された充電器が第２のバッテリーを充電することをさらに含む。
【０１０１】
また、第１の充電ポートに接続された充電器が、第１のバッテリー及び第２のバッテリーを充電する処理、又は第２の充電ポートに接続された充電器が、第１のバッテリー及び第２のバッテリーを充電する処理において、下記がさらに含まれる：モバイル端末は、モバイル端末の第１のバッテリーのバッテリーレベル、及び周辺デバイスの第２のバッテリーのバッテリーレベルに基づいて、第１のバッテリーの充電電力、及び第２のバッテリーの充電電力を決定し、第２のバッテリーの充電電力を周辺デバイスに送る。周辺デバイスは、第２のバッテリーの充電電力に基づいて、充電電力制御を実行する。
【０１０２】
１０２：モバイル端末は、充電モードに基づいて、第１のスイッチ及び第２のスイッチの状態を制御し、制御情報を周辺デバイスに送って、周辺デバイスに充電モードを通知する。
【０１０３】
１０３：周辺デバイスは、モバイル端末によって送られた制御情報に基づいて、充電モードを決定する。
【０１０４】
１０４：周辺デバイスは、充電モードに基づいて、第３のスイッチ及び第４のスイッチの状態を制御し、ここで、充電モードは、第２のバッテリーが第１のバッテリーを充電すること、又は第１のバッテリーが第２のバッテリーを充電することを含む。
【０１０５】
モバイル端末の第１の充電ポートが充電器に接続される場合、及び／又は周辺デバイスの充電ポートが充電器に接続される場合、充電モードを決定する方法について、充電モードは、第１の充電ポートに接続された充電器が第１のバッテリー及び第２のバッテリーを充電すること、周辺デバイスの第２の充電ポートに接続された充電器が第１のバッテリー及び第２のバッテリーを充電すること、又は、第１の充電ポートに接続された充電器が第１のバッテリーを充電し、第２の充電ポートに接続された充電器が第２のバッテリーを充電することをさらに含む。
【０１０６】
前述の方法実施形態において、モバイル端末による、充電モードに基づいた第１のスイッチ及び第２のスイッチの状態の制御について、及び周辺デバイスによる、充電モードに基づいた第３のスイッチ及び第４のスイッチの状態の制御については、装置実施形態における説明を参照されたい。詳細は、ここでは再度説明されない。
【０１０７】
実施形態において、第１のバッテリーが充電状態にあると決定する場合、モバイル端末は、モバイル端末が充電状態にあることを示すアイコンを表示する。第１のバッテリーが電力供給状態にあると決定する場合、モバイル端末は、モバイル端末が電力供給状態にあることを示すアイコンを表示する。第２のバッテリーが充電状態にあると決定する場合、モバイル端末は、周辺デバイスが充電状態にあることを示すアイコンを表示する。第２のバッテリーが電力供給状態にあると決定する場合、モバイル端末は、周辺デバイスが電力供給状態にあることを示すアイコンを表示する。
【０１０８】
第１のバッテリーが充電状態にあると決定する場合、周辺デバイスは、モバイル端末が充電状態にあることを示すアイコンを表示する。第１のバッテリーが電力供給状態にあると決定する場合、周辺デバイスは、モバイル端末が電力供給状態にあることを示すアイコンを表示する。第２のバッテリーが充電状態にあると決定する場合、周辺デバイスは、周辺デバイスが充電状態にあることを示すアイコンを表示する。第２のバッテリーが電力供給状態にあると決定する場合、周辺デバイスは、周辺デバイスが電力供給状態にあることを示すアイコンを表示する。
【０１０９】
前述の方法実施形態の各部によって実装される技術的な効果については、装置実施形態における説明を参照されたい。詳細は、ここでは再度説明されない。
【０１１０】
具体的には、タブレットコンピュータＰＡＤ及びキーボードＫＢの前述の構造及び前述の充電方法に関して、この出願の実施形態は、特定の充電制御ロジックを提供する。
【０１１１】
タブレットコンピュータＰＡＤのＥＣ１の制御優先度が比較的高い場合、充電制御ロジック手続きが提供される。
【０１１２】
まず、タブレットコンピュータＰＡＤが、ハードウェアコネクタを使用することによってキーボードＫＢに接続される場合、タブレットコンピュータＰＡＤのＥＣ１は、ピア電子デバイスインポジション検出回路の第１０の抵抗器Ｒ１０の第２の端子における電位が０であることを検出することによって、キーボードＫＢが適所にあると決定し、キーボードＫＢのＥＣ２は、ピア電子デバイスインポジション検出回路の第１０の抵抗器Ｒ１０の第２の端子における電位が０であることを検出することによって、タブレットコンピュータＰＡＤが適所にあると決定し、ＥＣ２は、タブレットコンピュータのＥＣ１に、タブレットコンピュータＰＡＤが適所にあることを報告する。次いで、タブレットコンピュータＰＡＤのＥＣ１は、第１の充電回路ＣＩ１を使用することによって、第１のバッテリーＢａ１のバッテリーレベルを検出し、キーボードＫＢのＥＣ２は、第２の充電回路ＣＩ２を使用することによって、第２のバッテリーＢａ２のバッテリーレベルを検出する。タブレットコンピュータＰＡＤのＥＣ１は、ＵＳＢを使用することによってキーボードＫＢのＥＣ２と通信する。タブレットコンピュータＰＡＤのＥＣ１は、キーボードＫＢのＥＣ２によって検出される、第２のバッテリーＢａ２のバッテリーレベルを取得する。図１４Ａ及び図１４Ｂを参照すると、ＥＣ１は、充電制御を実行している。
【０１１３】
Ｓ０１：タブレットコンピュータの第１のバッテリーＢａ１のバッテリーレベルが第１の閾値未満かどうかを決定する。タブレットコンピュータの第１のバッテリーＢａ１のバッテリーレベルが第１の閾値未満である場合、Ｓ０２を実行する。タブレットコンピュータの第１のバッテリーＢａ１のバッテリーレベルが第１の閾値以上である場合、Ｓ０４を実行する。第１の閾値は、任意の値に設定されてよく、もちろん、比較的小さな値、例えば、５％が一般に使用され、その結果、タブレットコンピュータの残りのバッテリーレベルが比較的低いと決定された場合、タブレットコンピュータが充電される。
【０１１４】
Ｓ０２：タブレットコンピュータの充電器が適所にあるかどうかを決定する。タブレットコンピュータの充電器が適所にない場合、Ｓ０５を実行する。タブレットコンピュータの充電器が適所にある場合、Ｓ０３を実行する。
【０１１５】
ステップＳ０２において、タブレットコンピュータが適所にあるかどうかを決定する特定の手法については、前述の説明を参照されたく、詳細はここでは再度説明されない。
【０１１６】
Ｓ０３：タブレットコンピュータの充電器を制御して、タブレットコンピュータのＢａ１及びキーボードのＢａ２を、Ｂａ１及びＢａ２が完全に充電されるまで充電する。
【０１１７】
この場合において、前述の解決策１が使用される。具体的には、タブレットコンピュータＰＡＤのＥＣ１は、タブレットコンピュータＰＡＤの第１のスイッチＳ１及び第２のスイッチＳ２がオンになるように制御し、キーボードＫＢのＥＣ２は、キーボードＫＢの第４のスイッチＳ４がオンになるように制御し、キーボードＫＢのＥＣ２は、キーボードＫＢの第３のスイッチＳ３がオフになるように制御する。タブレットコンピュータの充電器は、下記の２つの経路に従って、タブレットコンピュータのＢａ１及びキーボードのＢａ２をそれぞれ充電する：
【０１１８】
充電経路１は、次の通りである：充電器−＞タブレットコンピュータＰＡＤのＵＳＢポート−＞タブレットコンピュータＰＡＤの第１のスイッチＳ１−＞タブレットコンピュータＰＡＤの第１の充電回路ＣＩ１−＞タブレットコンピュータＰＡＤの第１のバッテリーＢａ１。
【０１１９】
充電経路２は、次の通りである：充電器−＞タブレットコンピュータＰＡＤのＵＳＢポート−＞タブレットコンピュータＰＡＤの第１のスイッチＳ１−＞タブレットコンピュータＰＡＤの第２のスイッチＳ２−＞キーボードＫＢの第４のスイッチＳ４−＞キーボードＫＢの第２の充電回路Ｃｈ２−＞キーボードＫＢの第２のバッテリーＢａ２。
【０１２０】
もちろん、充電期間中に、バッテリーを充電するための充電電力は、電流制限回路を使用することによってタブレットコンピュータとキーボードとに割り当てられ得る。
【０１２１】
Ｓ０４：キーボードのＢａ２のバッテリーレベルが第２の閾値未満かどうかを決定する。キーボードのＢａ２のバッテリーレベルが第２の閾値未満である場合、Ｓ０５を実行する。キーボードのＢａ２のバッテリーレベルが第２の閾値以上である場合、Ｓ１０を実行する。第２の閾値は、任意の値に設定されてよく、もちろん、比較的小さな値、例えば、５％が一般に使用され、その結果、キーボードのＢａ２の残りのバッテリーレベルが比較的低いと決定された場合、キーボードが充電される。
【０１２２】
Ｓ０５：キーボードの充電器が適所にあるかどうかを決定する。キーボードの充電器が適所にある場合、Ｓ０６を実行する。キーボードの充電器が適所にない場合、Ｓ０７を実行する。
【０１２３】
Ｓ０６：キーボードの充電器を制御して、Ｂａ１及びＢａ２が完全に充電されるまで、タブレットコンピュータのＢａ１及びキーボードのＢａ２を充電する。
【０１２４】
この場合においては、前述の解決策２が使用される。具体的には、タブレットコンピュータＰＡＤのＥＣ１は、タブレットコンピュータＰＡＤの第２のスイッチＳ２がオンになるように制御し、タブレットコンピュータＰＡＤのＥＣ１は、タブレットコンピュータＰＡＤの第１のスイッチＳ１がオフになるように制御し、キーボードＫＢのＥＣ２は、キーボードＫＢの第３のスイッチＳ３及び第４のスイッチＳ４がオンになるように制御する。キーボードの充電器は、下記の２つの経路に従って、タブレットコンピュータのＢａ１及びキーボードのＢａ２をそれぞれ充電する：
【０１２５】
充電経路１は、次の通りである：充電器−＞キーボードＫＢのＵＳＢポート−＞キーボードＫＢの第３のスイッチＳ３−＞キーボードＫＢの第２の充電回路Ｃｈ２−＞キーボードＫＢの第２のバッテリーＢａ２：
【０１２６】
充電経路２は、次の通りである：充電器−＞キーボードＫＢのＵＳＢポート−＞キーボードＫＢの第３のスイッチＳ３−＞キーボードＫＢの第４のスイッチＳ４−＞タブレットコンピュータＰＡＤの第２のスイッチＳ２−＞タブレットコンピュータＰＡＤの第１の充電回路Ｃｈ１−＞タブレットコンピュータＰＡＤの第１のバッテリーＢａ１。
【０１２７】
もちろん、充電期間中に、バッテリーを充電するための充電電力は、キーボードの電流制限回路を使用することによってタブレットコンピュータとキーボードとに割り当てられ得る。
【０１２８】
Ｓ０７：タブレットコンピュータの充電器が適所にあるかどうかを決定する。タブレットコンピュータの充電器が適所にない場合、Ｓ０９を実行する。タブレットコンピュータの充電器が適所にある場合、Ｓ０８を実行する。
【０１２９】
Ｓ０８：タブレットコンピュータの充電器を制御して、Ｂａ１及びＢａ２が完全に充電されるまで、タブレットコンピュータのＢａ１及びキーボードのＢａ２を充電する。
【０１３０】
Ｓ０９：タブレットコンピュータのＢａ１のバッテリーレベルが、キーボードのＢａ２のバッテリーレベルより高いと決定された場合、タブレットコンピュータのＢａ１を制御して、キーボードのＢａ２を充電し、又は、キーボードのＢａ２のバッテリーレベルが、タブレットコンピュータのＢａ１のバッテリーレベルより高いと決定された場合、キーボードのＢａ２を制御して、タブレットコンピュータのＢａ１を充電する。また、Ｓ０９の処理中にＳ０１を実行し続ける。
【０１３１】
タブレットコンピュータのＢａ１がキーボードのＢａ２を充電する処理、又はキーボードのＢａ２がタブレットコンピュータのＢａ１を充電する処理については、前述の実施形態における説明を参照されたい。詳細は、ここでは再度説明されない。
【０１３２】
Ｓ１０：キーボードの充電器が適所にあるかどうかを決定する。キーボードの充電器が適所にある場合、Ｓ１１を実行する。キーボードの充電器が適所にない場合、Ｓ０１を実行する。
【０１３３】
Ｓ１１：タブレットコンピュータの充電器が適所にあるかどうかを決定する。タブレットコンピュータの充電器が適所にない場合、Ｓ０６を実行する。タブレットコンピュータの充電器が適所にある場合、Ｓ０３を実行する。
【０１３４】
もちろん、前述のものは、１つのタイプの制御ロジックにすぎず、前述の制御ロジックは、この出願の実施形態において提供されるデバイスの構造の基本機能に基づいて実装される。もちろん、この出願の実施形態において提供されるデバイスに基づいて実装され得る他の制御ロジックも、この出願の保護範囲内に収まるべきものである。
【０１３５】
前述の説明は、この出願の特定の実装にすぎず、この出願の保護範囲を限定するようには意図されていない。この出願において開示された技術的範囲内の当業者によって容易に見出される、いかなるバリエーション又は置換も、この出願の保護範囲内に収まるべきものである。従って、この出願の保護範囲は、特許請求の範囲の保護範囲に従うべきものである。
【図１】
0006884266.tif 000002
【図２】
0006884266.tif 000003
【図３】
0006884266.tif 000004
【図４】
0006884266.tif 000005
【図５】
0006884266.tif 000006
【図６】
0006884266.tif 000007
【図７】
0006884266.tif 000008
【図８】
0006884266.tif 000009
【図９】
0006884266.tif 000010
【図１０】
0006884266.tif 000011
【図１１】
0006884266.tif 000012
【図１２】
0006884266.tif 000013
【図１３】
0006884266.tif 000014
【図１４Ａ】
0006884266.tif 000015
【図１４Ｂ】
0006884266.tif 000016